(57)【特許請求の範囲】
【請求項１】
被評価用の通信端末の接続状態における通信システムの種別に対応した所定の性能測定用の一連の手順を保有し、その手順に沿った所定のメッセージ情報を含む試験信号を前記被評価用の通信端末に送信し、該被評価用の通信端末から前記所定の性能測定用の一連の試験信号に対応した所定のメッセージ情報を含む一連の応答信号を受信する通信端末試験用の計測器と、
前記通信端末試験用の計測器によって送信された前記一連の試験信号及び前記試験用の計測器によって受信された前記一連の応答信号のそれぞれの前記所定のメッセージ情報に基づいたログ情報の内容と種類に関する情報を有する複数のログ情報を含むトレース情報を取得すると共に、前記トレース情報に含まれる複数のログ情報に前記所定のメッセージ情報のそれぞれが取得された時刻を表す時刻情報を付与するトレース情報取得部と、
前記トレース情報取得部によって取得された前記複数のログ情報を含むトレース情報を所定の形態で表示器に表示するトレース情報表示処理制御部とを具備し、
前記トレース情報表示処理制御部は、
前記トレース情報取得部によって取得されたトレース情報に含まれる前記複数のログ情報を前記ログ情報の内容と種類に関する情報に基づいて前記所定のメッセージ情報の種類に応じて区分けして識別可能に前記複数のログ情報のそれぞれに付与されている前記時刻情報に基づいて時系列に並べたインジケーションバーを表示するインジケーションバー表示部と、
前記トレース情報取得部によって取得された前記トレース情報に含まれる前記複数のログ情報のうち、所定数のログ情報についての前記一連の試験信号及び前記一連の応答信号の流れを前記ログ情報の内容と種類に関する情報に基づいて前記所定数のログ情報のそれぞれに付与されている前記時刻情報によるタイムスタンプを有するログシーケンスとして前記インジケーションバーと関連付けて表示するログシーケンス表示部とを備えたことを特徴とする通信端末の性能測定システム。
【請求項２】
前記トレース情報取得部及び前記トレース情報表示処理制御部の少なくとも一方に対して所定の設定入力情報を設定する設定入力情報設定部をさらに具備することを特徴とする請求項１に記載の通信端末の性能測定システム。
【請求項３】
前記トレース情報表示処理制御部は、前記インジケーションバー表示部によって表示される前記インジケーションバー上の任意の位置を前記設定入力情報設定部によって設定される選択設定入力情報に基づいて選択可能とするタスクバーを表示するタスクバー表示部をさらに備えたことを特徴とする請求項２に記載の通信端末の性能測定システム。
【請求項４】
前記トレース情報取得部は、該トレース情報取得部によって取得される前記複数のログ情報を含むトレース情報を該トレース情報取得部によって前記複数のログ情報に付与される前記時刻情報と共に記憶する記憶部を含むことを特徴とする請求項１に記載の通信端末の性能測定システム。
【請求項５】
前記トレース情報取得部によって取得された前記トレース情報に含まれる前記複数のログ情報のそれぞれには、前記通信システムの種別を示す通信システム情報が含まれており、前記インジケーションバー表示部は、前記通信システム情報に基づいて前記複数のログ情報のそれぞれの通信システムの種別が識別可能なように前記インジケーションバーを表示することを特徴とする請求項１に記載の通信端末の性能測定システム。
【請求項６】
前記ログシーケンス表示部は、少なくとも、前記トレース情報取得部によって取得されたトレース情報に含まれる前記複数のログ情報のうち、所定数のログ情報について前記ログ情報の内容と種類に関する情報に基づいて、前記所定のメッセージ情報のプレーンの種別と通信の方向との少なくとも一方を含むトレース情報表示バーを表示するトレース情報表示バー表示部を備えていることを特徴とする請求項２に記載の通信端末の性能測定システム。
【請求項７】
前記プレーンの種別には、前記一連の試験信号及び前記一連の応答信号に含まれる試験のための各種設定情報を示すコントロールプレーンと、前記一連の試験信号及び前記一連の応答信号に含まれて通信されるユーザデータを示すユーザプレーンとの少なくとも一方が備えられていることを特徴とする請求項６に記載の通信端末の性能測定システム。
【請求項８】
前記トレース情報表示バー表示部によって表示される前記トレース情報表示バーには、前記一連の試験信号及び前記一連の応答信号による通信試験のための前記通信端末試験用の計測器内部の設定情報を示すコンフィグ情報が含まれていることを特徴とする請求項６に記載の通信端末の性能測定システム。
【請求項９】
前記ログシーケンス表示部は、
前記トレース情報取得部によって取得されたトレース情報に含まれる前記複数のログ情報のうち、所定数のログ情報に関するそれぞれの通信システムの種別を示す通信システム表示バーを前記ログ情報の内容と種類に関する情報に基づいて、前記トレース情報表示バー表示部によって表示される前記トレース情報表示バーに対応させて表示する通信システム表示バー表示部と、
前記トレース情報表示バー表示部によって表示される前記トレース情報表示バー及び前記通信システム表示バー表示部によって表示される前記通信システム表示バーに対応させて前記所定数のログ情報のそれぞれに付与された前記時刻情報によるタイムスタンプを表示するタイムスタンプ表示部とをさらに備えていることを特徴とする請求項６に記載の通信端末の性能測定システム。
【請求項１０】
前記通信システム表示バー表示部は、前記通信システム表示バー上に表示する前記通信システムの種別を前記設定入力情報設定部によって設定される選択設定入力情報に基づいて選択可能に表示することを特徴とする請求項９に記載の通信端末の性能測定システム。
【請求項１１】
前記通信システム表示バー表示部は、前記通信システム表示バーを前記所定数のログ情報に関するそれぞれの通信システムの種別に対応させて色分け表示することを特徴とする請求項９に記載の通信端末の性能測定システム。
【請求項１２】
前記トレース情報表示バー表示部は、前記トレース情報表示バーを前記所定数のログ情報に関するそれぞれの前記所定のメッセージ情報のプレーンの種別に対応させて色分け表示することを特徴とする請求項６に記載の通信端末の性能測定システム。
【請求項１３】
前記通信システム表示バー表示部は、前記通信システム表示バーを前記所定数のログ情報に関するそれぞれの通信システムの種別に対応させて色分け表示する際に、前記設定入力情報設定部によって設定される色分け設定入力情報に基づいた色分け表示を可能とすることを特徴とする請求項１１に記載の通信端末の性能測定システム。
【請求項１４】
前記トレース情報表示バー表示部は、前記トレース情報表示バーを前記所定数のログ情報に関するそれぞれの前記所定のメッセージ情報のプレーンの種別に対応させて色分け表示する際に、前記設定入力情報設定部によって設定される色分け設定入力情報に基づいた色分け表示を可能とすることを特徴とする請求項１２に記載の通信端末の性能測定システム。
【請求項１５】
前記トレース情報表示バー表示部は、
前記所定数のログ情報に関するそれぞれの前記所定のメッセージ情報のプレーンの種別と通信の方向及び前記通信試験のための前記通信端末試験用の計測器内部の設定情報を示すコンフィグ情報を含むトレース情報表示バー上の任意の位置を前記設定入力情報設定部によって設定される選択設定入力情報に基づいて選択可能に表示すると共に、
前記設定入力情報設定部によって設定される選択設定入力情報に基づいて選択されたトレース情報表示バー上の任意の位置に対応するログ情報に関する詳細情報を表示することを特徴とする請求項８に記載の通信端末の性能測定システム。
【請求項１６】
前記インジケーションバー表示部は、前記インジケーションバーを前記トレース情報取得部によって取得されたトレース情報に含まれる前記複数のログ情報を前記所定のメッセージ情報の種類に応じてそれぞれの種類毎に色分け表示することを特徴とする請求項２に記載の通信端末の性能測定システム。
【請求項１７】
前記ログシーケンス表示部は、前記トレース情報取得部によって取得されたトレース情報に含まれる前記複数のログ情報のうち、所定数のログ情報が取得されたそれぞれの順番を示すインデックス情報を前記トレース情報表示バー表示部によって表示される前記トレース情報表示バー及び前記通信システム表示バー表示部によって表示される前記通信システム表示バーに対応させて表示するインデックス情報表示部をさらに備えたことを特徴とする請求項９に記載の通信端末の性能測定システム。
【請求項１８】
前記インジケーションバー表示部は、
前記トレース情報取得部によって取得されたトレース情報に含まれる前記複数のログ情報のうち、所定数のログ情報を前記ログ情報の内容と種類に関する情報に基づいて前記所定のメッセージ情報の種類に応じて区分けして識別可能に前記所定数のログ情報のそれぞれに付与された前記時刻情報に基づいて時系列に並べた第１のインジケーションバーとして表示する第１のインジケーションバー表示部と、
前記第１のインジケーションバー表示部によって表示される前記第１のインジケーションバーでは表示しきれないログ情報がある場合に、前記トレース情報取得部によって取得されたトレース情報に含まれる前記複数のログ情報の全てを前記ログ情報の内容と種類に関する情報に基づいて前記所定のメッセージ情報の種類に応じて区分けして識別可能とすることなく実質的に圧縮された状態でそれぞれに付与された前記時刻情報に基づいて時系列に並べた第２のインジケーションバーとして前記第のインジケーションバーに対応させて表示する第２のインジケーションバー表示部とを備えたことを特徴とする請求項１７に記載の通信端末の性能測定システム。
【請求項１９】
前記インジケーションバー表示部は、
前記第２のインジケーションバー表示部によって表示された前記第２のインジケーションバー上の任意の位置を前記設定入力情報設定部によって設定される選択設定入力情報に基づいて選択可能に表示すると共に、
前記設定入力情報設定部によって設定される選択設定入力情報に基づいて前記第２のインジケーションバー上の任意の位置が選択された場合に、当該任意の位置のログ情報を含む所定範囲のログ情報を前記第１のインジケーションバー表示部によって表示される前記第１のインジケーションバー上に拡大して表示させることを特徴とする請求項１８に記載の通信端末の性能測定システム。
【請求項２０】
前記インジケーションバー表示部は、前記設定入力情報設定部によって設定される設定入力情報に基づいて、前記トレース情報取得部によって取得されたトレース情報に含まれる前記複数のログ情報のうち、所定数のログ情報を前記ログ情報の内容と種類に関する情報に基づいて前記通信システムの種別に対応して複数のバーに分けて識別可能に且つ前記複数のバーのそれぞれのバー毎に前記所定のメッセージ情報の種類に応じて区分けして識別可能に前記所定数のログ情報のそれぞれに付与された前記時刻情報に基づいて時系列に並べた複数のインジケーションバーとして表示する複数のインジケーションバー表示部を備えたことを特徴とする請求項２に記載の通信端末の性能測定システム。
【請求項２１】
前記インジケーションバー表示部は、前記設定入力情報設定部によって設定される設定入力情報に基づいて、前記トレース情報取得部によって取得されたトレース情報に含まれる前記複数のログ情報のうち、所定数のログ情報を前記ログ情報の内容と種類に関する情報に基づいて通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた２つのインジケーションバーとして表示する２つのインジケーションバー表示部を備えたことを特徴とする請求項２に記載の通信端末の性能測定システム。
【請求項２２】
前記インジケーションバー表示部は、前記設定入力情報設定部によって設定される設定入力情報に基づいて、前記トレース情報取得部によって取得されたトレース情報に含まれる前記複数のログ情報のうち、所定数のログ情報を前記ログ情報の内容と種類に関する情報に基づいて前記通信システムの種別に対応して複数のバーに分けて識別可能に且つ通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた複数のインジケーションバーとして表示する複数のインジケーションバー表示部を備えたことを特徴とする請求項２に記載の通信端末の性能測定システム。
【請求項２３】
前記インジケーションバー表示部は、前記設定入力情報設定部によって設定される設定入力情報に基づいて、任意のログ情報の検索が選択された場合に、前記第１のインジケーションバーの表示に対応するログ情報から当該任意のログ情報を検索を指示すると共に、前記検索によって見つけ出されたログ情報の前記第１のインジケーションバー上での位置する箇所を前記第１のインジケーションバーに識別可能に表示することを特徴とする請求項１８に記載の通信端末の性能測定システム。
【請求項２４】
前記インジケーションバー表示部は、前記検索によって見つけ出されたログ情報の位置する前記第１のインジケーションバー上の該当箇所を点滅表示することを特徴とする請求項２３に記載の通信端末の性能測定システム。
【請求項２５】
前記ログシーケンス表示部は、前記インジケーションバーと関連付けて表示する前記ログシーケンスとして、前記検索によって複数のログ情報が見つけ出されたとき、当該複数のログ情報のうち最初のログ情報の位置する箇所のログシーケンスを表示することを特徴とする請求項２３に記載の通信端末の性能測定システム。
【請求項２６】
前記インジケーションバー表示部は、
前記設定入力情報設定部によって設定される設定入力情報による検索条件に基づいて、任意のログ情報の検索が選択された場合に、前記第２のインジケーションバーの表示に対応するログ情報から当該任意のログ情報の検索が開始され、前記検索によって見つけ出されたログ情報の位置する箇所を前記第２のインジケーションバーに識別可能に表示すると共に、
前記設定入力情報設定部によって設定される設定入力情報に基づいて、前記第２のインジケーションバー上で識別可能に表示されている箇所が選択された場合に、前記第１のインジケーションバー上に前記検索条件と一致する該当箇所を識別可能に表示することを特徴とする請求項１８に記載の通信端末の性能測定システム。
【請求項２７】
前記インジケーションバー表示部は、
前記検索によって見つけ出されたログ情報の位置する前記第２のインジケーションバーの該当箇所を点滅表示すると共に、
前記検索によって見つけ出されたログ情報の位置する前記第１のインジケーションバー上の該当箇所を点滅表示することを特徴とする請求項２６に記載の通信端末の性能測定システム。
【請求項２８】
前記ログシーケンス表示部は、前記インジケーションバーと関連付けて表示する前記ログシーケンスとして、前記検索によって複数のログ情報が見つけ出されたとき、当該複数のログ情報のうち最初のログ情報の位置する箇所のログシーケンスを表示することを特徴とする請求項２６に記載の通信端末の性能測定システム。
【請求項２９】
前記インジケーションバー表示部は、
前記設定入力情報設定部によって設定される設定入力情報に基づいて、予め、検索を目的とするトレース情報の条件としてのトリガー情報を内部的に設定可能とすると共に、
前記トレース情報取得部から、予め設定された前記トリガー情報に一致したトレース情報が得られたときに、前記第１のインジケーションバー上の該当箇所の位置を識別可能に表示することを特徴とする請求項１８に記載の通信端末の性能測定システム。
【請求項３０】
前記インジケーションバー表示部は、前記トレース情報取得部から、予め設定された前記トリガー情報と一致するトレース情報が得られたときに、前記第１のインジケーションバー上の該当箇所の位置を点滅表示することを特徴とする請求項２９に記載の通信端末の性能測定システム。
【請求項３１】
前記ログシーケンス表示部は、前記インジケーションバーと関連付けて表示する前記ログシーケンスとして、前記トレース情報取得部から、予め設定された前記トリガー情報と一致するトレース情報が得られたときに、当該トレース情報に含まれるログ情報のログシーケンスを表示することを特徴とする請求項２９に記載の通信端末の性能測定システム。
【請求項３２】
前記ログシーケンス表示部は、前記インジケーションバーと関連付けて表示する前記ログシーケンスとして、前記トレース情報取得部によって取得された前記トレース情報に含まれる複数のログ情報が無通信状態時のログ情報を含むとき、当該無通信状態時のログ情報のレコードを省いて前記ログ情報のログシーケンスを表示することを特徴とする請求項１に記載の通信端末の性能測定システム。
【請求項３３】
前記タスクバー表示部は、前記設定入力情報設定部によって設定される選択設定入力情報に基づいて、前記インジケーションバー表示部によって表示されるインジケーションバーの近傍に、前記ログシーケンス表示部によって現在の時点で表示されている前記ログシーケンスの範囲を示すタスクバーを表示することを特徴とする請求項３に記載の通信端末の性能測定システム。
【請求項３４】
前記タスクバー表示部は、前記設定入力情報設定部によって設定される選択設定入力情報に基づいて、前記インジケーションバー表示部によって表示されるインジケーションバーの近傍に、前記ログシーケンス表示部によって現在の時点で表示されている前記ログシーケンスの先頭をポイントで示すタスクバーを表示することを特徴とする請求項３に記載の通信端末の性能測定システム。
【請求項３５】
前記第１のインジケーションバー表示部は、前記トレース情報取得部によって取得されたトレース情報に含まれる前記複数のログ情報において、前記所定のメッセージ情報の種類が同一で且つ前記通信システムの種別が同一であるログ情報が連続する場合に、前記第１のインジケーションバー上で当該連続したログ情報を一つのログ情報に対応する長さを圧縮して表示することを特徴とする請求項１８に記載の通信端末の性能測定システム。
【請求項３６】
前記第１のインジケーションバー表示部は、前記トレース情報取得部によって取得された前記トレース情報に含まれる前記複数のログ情報が無通信状態時のログ情報を含むとき、当該無通信状態時のログ情報のレコードを含めて全体のログ情報を前記第１のインジケーションバー上に表示することを特徴とする請求項１８に記載の通信端末の性能測定システム。
【請求項３７】
前記第２のインジケーションバー表示部は、前記第２のインジケーションバーを、前記第１のインジケーションバー表示部によって表示される前記第１のインジケーションバー上で表示可能な範囲毎に複数の範囲に区切って表示することを特徴とする請求項１８に記載の通信端末の性能測定システム。
【請求項３８】
前記第１のインジケーションバー表示部は、前記設定入力情報設定部によって設定される設定入力情報に基づいて、前記第１のインジケーションバーを該第１のインジケーションバーの近傍に表示される前記タイムスタンプ及び前記インデックス情報の少なくとも一方と連動させて表示することを特徴とする請求項１８に記載の通信端末の性能測定システム。
【請求項３９】
前記第２のインジケーションバー表示部は、前記設定入力情報設定部によって設定される設定入力情報に基づいて、前記第２のインジケーションバーを該第２のインジケーションバーの近傍に表示される前記タイムスタンプ及び前記インデックス情報の少なくとも一方と連動させて表示することを特徴とする請求項１８に記載の通信端末の性能測定システム。
【請求項４０】
前記設定入力情報設定部は、前記表示器の表示画面上に表示されているソフトキーからなる前記トレース情報の取得を開始する際に操作されるＳｔａｒｔキー、前記トレース情報の取得を停止する際に操作されるＳｔｏｐキー、各種の設定の際に操作されるＯｐｔｉｏｎキー、前記トレース情報の中から目的のトレース情報を検索する際に操作されるＦｉｎｄキー、取得したトレース情報を保存する際に操作されるＳａｖｅキー及び保存されているトレース情報を読み出す際に操作されるＬｏａｄキーを含む複数の操作キーを有していることを特徴とする請求項２に記載の通信端末の性能測定システム。
【請求項４１】
被評価用の通信端末の接続状態における通信システムの種別に対応した所定の性能測定用の一連の手順を保有し、その手順に沿った所定のメッセージ情報を含む試験信号を前記被評価用の通信端末に送信し、該被評価用の通信端末から前記所定の性能測定用の一連の試験信号に対応した所定のメッセージ情報を含む一連の応答信号を受信する通信端末試験用の計測器を準備する段階と、
前記通信端末試験用の計測器によって送信された前記一連の試験信号及び前記試験用の計測器によって受信された前記一連の応答信号のそれぞれの前記所定のメッセージ情報に基づいたログ情報の内容と種類に関する情報を有する複数のログ情報を含むトレース情報を取得すると共に、前記トレース情報に含まれる複数のログ情報に前記所定のメッセージ情報のそれぞれが取得された時刻を表す時刻情報を付与する段階と、
前記トレース情報を取得する段階によって取得された複数のログ情報を含むトレース情報を所定の形態で表示器に表示する段階とを具備し、
前記トレース情報を表示する段階は、
前記トレース情報を取得する段階によって取得された前記トレース情報に含まれる前記複数のログ情報を前記ログ情報の内容と種類に関する情報に基づいて前記所定のメッセージ情報の種類に応じて区分けして識別可能に前記複数のログ情報のそれぞれに付与されている前記時刻情報に基づいて時系列に並べたインジケーションバーを表示する段階と、
前記トレース情報を取得する段階によって取得された前記トレース情報に含まれる前記複数のログ情報のうち、所定数のログ情報についての前記一連の試験信号及び前記一連の応答信号の流れを前記ログ情報の内容と種類に関する情報に基づいて前記所定数のログ情報のそれぞれに付与されている前記時刻情報によるタイムスタンプを有するログシーケンスとして前記インジケーションバーと関連付けて表示する段階とを備えたことを特徴とする通信端末の性能測定方法。
【請求項４２】
前記トレース情報を取得する段階及び前記トレース情報を表示する段階の少なくとも一方に対して所定の設定入力情報を設定する段階をさらに具備することを特徴とする請求項４１に記載の通信端末の性能測定方法。
【請求項４３】
前記トレース情報を表示する段階は、前記インジケーションバー上の任意の位置を前記設定入力情報を設定する段階によって設定される選択設定入力情報に基づいて選択可能とするタスクバーを表示する段階をさらに備えたことを特徴とする請求項４２に記載の通信端末の性能測定方法。
【請求項４４】
前記トレース情報を取得する段階は、該トレース情報を取得する段階によって取得される前記複数のログ情報を含むトレース情報を該トレース情報を取得する段階によって前記複数のログ情報に付与される前記時刻情報と共に記憶部に記憶する段階を含むことを特徴とする請求項４１に記載の通信端末の性能測定方法。
【請求項４５】
前記トレース情報を取得する段階によって取得された前記トレース情報に含まれる前記複数のログ情報のそれぞれには、前記通信システムの種別を示す通信システム情報が含まれており、
前記インジケーションバーを表示する段階は、前記通信システム情報に基づいて前記複数のログ情報のそれぞれの通信システムの種別が識別可能なように前記インジケーションバーを表示することを特徴とする請求項４１に記載の通信端末の性能測定方法。
【請求項４６】
前記ログシーケンスを表示する段階は、少なくとも、前記トレース情報を取得する段階によって取得されたトレース情報に含まれる前記複数のログ情報のうち、所定数のログ情報について前記ログ情報の内容と種類に関する情報に基づいて、前記所定のメッセージ情報のプレーンの種別と通信の方向との少なくとも一方を含むトレース情報表示バーを表示する段階を備えていることを特徴とする請求項４２に記載の通信端末の性能測定方法。
【請求項４７】
前記プレーンの種別には、前記一連の試験信号及び前記一連の応答信号に含まれる試験のための各種設定情報を示すコントロールプレーンと、前記一連の試験信号及び前記一連の応答信号に含まれて通信されるユーザデータを示すユーザプレーンとの少なくとも一方が備えられていることを特徴とする請求項４６に記載の通信端末の性能測定方法。
【請求項４８】
前記トレース情報表示バーを表示する段階によって表示される前記トレース情報表示バーには、前記一連の試験信号及び前記一連の応答信号による通信試験のための前記通信端末試験用の計測器内部の設定情報を示すコンフィグ情報が含まれていることを特徴とする請求項４６に記載の通信端末の性能測定方法。
【請求項４９】
前記ログシーケンスを表示する段階は、
前記トレース情報を取得する段階によって取得されたトレース情報に含まれる前記複数のログ情報のうち、所定数のログ情報に関するそれぞれの通信システムの種別を示す通信システム表示バーを前記ログ情報の内容と種類に関する情報に基づいて、前記トレース情報表示バーを表示する段階によって表示される前記トレース情報表示バーに対応させて表示する段階と、
前記トレース情報表示バーを表示する段階によって表示される前記トレース情報表示バー及び前記通信システム表示バーを表示する段階によって表示される前記通信システム表示バーに対応させて前記所定数のログ情報のそれぞれに付与された前記時刻情報によるタイムスタンプを表示する段階とをさらに備えていることを特徴とする請求項４６に記載の通信端末の性能測定方法。
【請求項５０】
前記通信システム表示バーを表示する段階は、前記通信システム表示バー上に表示する前記通信システムの種別を前記設定入力情報を設定する段階によって設定される選択設定入力情報に基づいて選択可能に表示することを特徴とする請求項４９に記載の通信端末の性能測定方法。
【請求項５１】
前記通信システム表示バーを表示する段階は、前記通信システム表示バーを前記所定数のログ情報に関するそれぞれの通信システムの種別に対応させて色分け表示することを特徴とする請求項４９に記載の通信端末の性能測定方法。
【請求項５２】
前記トレース情報表示バーを表示する段階は、前記トレース情報表示バーを前記所定数のログ情報に関するそれぞれの前記所定のメッセージ情報のプレーンの種別に対応させて色分け表示することを特徴とする請求項４６に記載の通信端末の性能測定方法。
【請求項５３】
前記通信システム表示バーを表示する段階は、前記通信システム表示バーを前記所定数のログ情報に関するそれぞれの通信システムの種別に対応させて色分け表示する際に、前記設定入力情報を設定する段階によって設定される色分け設定入力情報に基づいた色分け表示を可能とすることを特徴とする請求項５１に記載の通信端末の性能測定方法。
【請求項５４】
前記トレース情報表示バーを表示する段階は、前記トレース情報表示バーを前記所定数のログ情報に関するそれぞれの前記所定のメッセージ情報のプレーンの種別に対応させて色分け表示する際に、前記設定入力情報を設定する段階によって設定される色分け設定入力情報に基づいた色分け表示を可能とすることを特徴とする請求項５２に記載の通信端末の性能測定方法。
【請求項５５】
前記トレース情報表示バー表示を表示する段階は、
前記所定数のログ情報に関するそれぞれの前記所定のメッセージ情報のプレーンの種別と通信の方向及び前記通信試験のための前記通信端末試験用の計測器内部の設定情報を示すコンフィグ情報を含むトレース情報表示バー上の任意の位置を前記設定入力情報を設定する段階によって設定される選択設定入力情報に基づいて選択可能に表示する段階と、
前記設定入力情報を設定する段階によって設定される選択設定入力情報に基づいて選択されたトレース情報表示バー上の任意の位置に対応するログ情報に関する詳細情報を表示する段階とを備えていることを特徴とする請求項４８に記載の通信端末の性能測定方法。
【請求項５６】
前記インジケーションバーを表示する段階は、前記インジケーションバーを前記トレース情報を取得する段階によって取得されたトレース情報に含まれる前記複数のログ情報を前記所定のメッセージ情報の種類に応じてそれぞれの種類毎に色分け表示することを特徴とする請求項４２に記載の通信端末の性能測定方法。
【請求項５７】
前記ログシーケンスを表示する段階は、前記トレース情報を取得する段階によって取得されたトレース情報に含まれる前記複数のログ情報のうち、所定数のログ情報が取得されたそれぞれの順番を示すインデックス情報を前記トレース情報表示バーを表示する段階によって表示される前記トレース情報表示バー及び前記通信システム表示バーを表示する段階によって表示される前記通信システム表示バーに対応させて表示する段階をさらに備えたことを特徴とする請求項４９に記載の通信端末の性能測定方法。
【請求項５８】
前記インジケーションバーを表示する段階は、
前記トレース情報を取得する段階によって取得されたトレース情報に含まれる前記複数のログ情報のうち、所定数のログ情報を前記ログ情報の内容と種類に関する情報に基づいて前記所定のメッセージ情報の種類に応じて区分けして識別可能に前記所定数のログ情報のそれぞれに付与された前記時刻情報に基づいて時系列に並べた第１のインジケーションバーを表示する段階と、
前記第１のインジケーションバーを表示する段階によって表示される前記第１のインジケーションバーでは表示しきれないログ情報がある場合に、前記トレース情報を取得する段階によって取得されたトレース情報に含まれる前記複数のログ情報の全てを前記ログ情報の内容と種類に関する情報に基づいて前記所定のメッセージ情報の種類に応じて区分けして識別可能とすることなく実質的に圧縮された状態でそれぞれに付与された前記時刻情報に基づいて時系列に並べた第２のインジケーションバーを前記第１のインジケーションバーに対応させて表示する段階とを備えたことを特徴とする請求項５７に記載の通信端末の性能測定方法。
【請求項５９】
前記インジケーションバーを表示する段階は、
前記第２のインジケーションバーを表示する段階によって表示された前記第２のインジケーションバー上の任意の位置を前記設定入力情報を設定する段階によって設定される選択設定入力情報に基づいて選択可能に表示する段階と、
前記設定入力情報を設定する段階によって設定される選択設定入力情報に基づいて前記第２のインジケーションバー上の任意の位置が選択された場合に、当該任意の位置のログ情報を含む所定範囲のログ情報を前記第１のインジケーションバーを表示する段階によって表示される前記第１のインジケーションバー上に拡大して表示させる段階とを備えていることを特徴とする請求項５８に記載の通信端末の性能測定方法。
【請求項６０】
前記インジケーションバーを表示する段階は、前記設定入力情報を設定する段階によって設定される設定入力情報に基づいて、前記トレース情報を取得する段階によって取得されたトレース情報に含まれる前記複数のログ情報のうち、所定数のログ情報を前記ログ情報の内容と種類に関する情報に基づいて前記通信システムの種別に対応して複数のバーに分けて識別可能に且つ前記複数のバーのそれぞれのバー毎に前記所定のメッセージ情報の種類に応じて区分けして識別可能に前記所定数のログ情報のそれぞれに付与された前記時刻情報に基づいて時系列に並べた複数のインジケーションバーを表示する段階を備えたことを特徴とする請求項４２に記載の通信端末の性能測定方法。
【請求項６１】
前記インジケーションバーを表示する段階は、前記設定入力情報を設定する段階によって設定される設定入力情報に基づいて、前記トレース情報を取得する段階によって取得されたトレース情報に含まれる前記複数のログ情報のうち、所定数のログ情報を前記ログ情報の内容と種類に関する情報に基づいて通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた２つのインジケーションバーを表示する段階を備えたことを特徴とする請求項４２に記載の通信端末の性能測定方法。
【請求項６２】
前記インジケーションバーを表示する段階は、前記設定入力情報を設定する段階によって設定される設定入力情報に基づいて、前記トレース情報を取得する段階によって取得されたトレース情報に含まれる前記複数のログ情報のうち、所定数のログ情報を前記ログ情報の内容と種類に関する情報に基づいて前記通信システムの種別に対応して複数のバーに分けて識別可能に且つ通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた複数のインジケーションバーを表示する段階を備えたことを特徴とする請求項４２に記載の通信端末の性能測定方法。
【請求項６３】
前記インジケーションバーを表示する段階は、前記設定入力情報を設定する段階によって設定される設定入力情報に基づいて、任意のログ情報の検索が選択された場合に、前記第１のインジケーションバーの表示に対応するログ情報から当該任意のログ情報を検索を指示すると共に、前記検索によって見つけ出されたログ情報の前記第１のインジケーションバー上での位置する箇所を前記第１のインジケーションバーに識別可能に表示することを特徴とする請求項５８に記載の通信端末の性能測定方法。
【請求項６４】
前記インジケーションバーを表示する段階は、前記検索によって見つけ出されたログ情報の位置する前記第１のインジケーションバー上の該当箇所を点滅表示することを特徴とする請求項６３に記載の通信端末の性能測定方法。
【請求項６５】
前記ログシーケンスを表示する段階は、前記インジケーションバーと関連付けて表示する前記ログシーケンスとして、前記検索によって複数のログ情報が見つけ出されたとき、当該複数のログ情報のうち最初のログ情報の位置する箇所のログシーケンスを表示することを特徴とする請求項６３に記載の通信端末の性能測定方法。
【請求項６６】
前記インジケーションバーを表示する段階は、
前記設定入力情報を設定する段階によって設定される設定入力情報による検索条件に基づいて、任意のログ情報の検索が選択された場合に、前記第２のインジケーションバーの表示に対応するログ情報から当該任意のログ情報の検索が開始され、前記検索によって見つけ出されたログ情報の位置する箇所を前記第２のインジケーションバー上で識別可能に表示する段階と、
前記設定入力情報を設定する段階によって設定される設定入力情報に基づいて、前記第２のインジケーションバー上で識別可能に表示されている箇所が選択された場合に、前記第１のインジケーションバー上に前記検索条件と一致する該当箇所を識別可能に表示する段階を備えていることを特徴とする請求項５８に記載の通信端末の性能測定方法。
【請求項６７】
前記インジケーションバーを表示する段階は、
前記検索によって見つけ出されたログ情報の位置する前記第２のインジケーションバー上の該当箇所を点滅表示する段階と、
前記検索によって見つけ出されたログ情報の位置する前記第１のインジケーションバー上の該当箇所を点滅表示する段階とを備えていることを特徴とする請求項６６に記載の通信端末の性能測定方法。
【請求項６８】
前記ログシーケンスを表示する段階は、前記インジケーションバーと関連付けて表示する前記ログシーケンスとして、前記検索によって複数のログ情報が見つけ出されたとき、当該複数のログ情報のうち最初のログ情報の位置する箇所のログシーケンスを表示することを特徴とする請求項６６に記載の通信端末の性能測定方法。
【請求項６９】
前記インジケーションバーを表示する段階は、
前記設定入力情報を設定する段階によって設定される設定入力情報に基づいて、予め、検索を目的とするトレース情報の条件としてのトリガー情報を内部的に設定可能とする段階と、
前記トレース情報を取得する段階によって取得されたトレース情報から、予め設定された前記トリガー情報に一致したトレース情報が得られたときに、前記第１のインジケーションバー上の該当箇所の位置を識別可能に表示する段階とを備えていることを特徴とする請求項５８に記載の通信端末の性能測定方法。
【請求項７０】
前記インジケーションバーを表示する段階は、前記トレース情報を取得する段階によって取得されたトレース情報から、予め設定された前記トリガー情報と一致するトレース情報が得られたときに、前記第１のインジケーションバー上の該当箇所の位置を点滅表示することを特徴とする請求項６９に記載の通信端末の性能測定方法。
【請求項７１】
前記ログシーケンスを表示する段階は、前記インジケーションバーと関連付けて表示する前記ログシーケンスとして、前記トレース情報を取得する段階によって取得されたトレース情報から、予め設定された前記トリガー情報と一致するトレース情報が得られたときに、当該トレース情報に含まれるログ情報のログシーケンスを表示することを特徴とする請求項６９に記載の通信端末の性能測定方法。
【請求項７２】
前記ログシーケンスを表示する段階は、前記インジケーションバーと関連付けて表示する前記ログシーケンスとして、前記トレース情報を取得する段階によって取得された前記トレース情報に含まれる複数のログ情報が無通信状態時のログ情報を含むとき、当該無通信状態時のログ情報のレコードを省いて前記ログ情報のログシーケンスを表示することを特徴とする請求項４１に記載の通信端末の性能測定方法。
【請求項７３】
前記タスクバーを表示する段階は、前記設定入力情報を設定する段階によって設定される選択設定入力情報に基づいて、前記インジケーションバーを表示する段階によって表示されるインジケーションバーの近傍に、前記ログシーケンスを表示する段階によって現在の時点で表示されている前記ログシーケンスの範囲を示すタスクバーを表示することを特徴とする請求項４３に記載の通信端末の性能測定方法。
【請求項７４】
前記タスクバーを表示する段階は、前記設定入力情報を設定する段階によって設定される選択設定入力情報に基づいて、前記インジケーションバーを表示する段階によって表示されるインジケーションバーの近傍に、前記ログシーケンス表示部によって現在の時点で表示されている前記ログシーケンスの先頭をポイントで示すタスクバー（１４）を表示することを特徴とする請求項４３に記載の通信端末の性能測定方法。
【請求項７５】
前記第１のインジケーションバーを表示する段階は、前記トレース情報を取得する段階によって取得されたトレース情報に含まれる前記複数のログ情報において、前記所定のメッセージ情報の種類が同一で且つ前記通信システムの種別が同一であるログ情報が連続する場合に、前記第１のインジケーションバー上で当該連続したログ情報を一つのログ情報に対応する長さを圧縮して表示することを特徴とする請求項５８に記載の通信端末の性能測定方法。
【請求項７６】
前記第１のインジケーションバーを表示する段階は、前記トレース情報を取得する段階によって取得された前記トレース情報に含まれる前記複数のログ情報が無通信状態時のログ情報を含むとき、当該無通信状態時のログ情報のレコードを含めて全体のログ情報を前記第１のインジケーションバー上に表示することを特徴とする請求項５８に記載の通信端末の性能測定方法。
【請求項７７】
前記第２のインジケーションバーを表示する段階は、前記第２のインジケーションバーを、前記第１のインジケーションバーを表示する段階によって表示される前記第１のインジケーションバー上で表示可能な範囲毎に複数の範囲に区切って表示することを特徴とする請求項５８に記載の通信端末の性能測定方法。
【請求項７８】
前記第１のインジケーションバーを表示する段階は、前記設定入力情報を設定する段階によって設定される設定入力情報に基づいて、前記第１のインジケーションバーを該第１のインジケーションバーの近傍に表示される前記タイムスタンプ及び前記インデックス情報の少なくとも一方と連動させて表示することを特徴とする請求項５８に記載の通信端末の性能測定方法。
【請求項７９】
前記第２のインジケーションバーを表示する段階は、前記設定入力情報を設定する段階によって設定される設定入力情報に基づいて、前記第２のインジケーションバーを該第２のインジケーションバーの近傍に表示される前記タイムスタンプ及び前記インデックス情報の少なくとも一方と連動させて表示することを特徴とする請求項５８に記載の通信端末の性能測定方法。
【請求項８０】
前記設定入力情報を設定する段階は、前記表示器の表示画面上に表示されているソフトキーからなる前記トレース情報の取得を開始する際に操作されるＳｔａｒｔキー、前記トレース情報の取得を停止する際に操作されるＳｔｏｐキー、各種の設定の際に操作されるＯｐｔｉｏｎキー、前記トレース情報の中から目的のトレース情報を検索する際に操作されるＦｉｎｄキー、取得したトレース情報を保存する際に操作されるＳａｖｅキー及び保存されているトレース情報を読み出す際に操作されるＬｏａｄキーを含む複数の操作キーの少なくとも一つを用いることを特徴とする請求項５８に記載の通信端末の性能測定方法。
【発明の詳細な説明】
【技術分野】
【０００１】  本発明は通信端末の性能測定システム及び通信端末の性能測定方法に係り、特に、効率的なトレース情報表示機能を有することにより、オペレータが、膨大な情報量を持ったトレース情報群の中から目的とするログシーケンス情報を容易に見つけ出すことができるようにした通信端末の性能測定システム及び通信端末の性能測定方法に関する。
【背景技術】
【０００２】  従来、製品として開発中の通信端末、例えば、携帯電話（ｍｏｂｉｌｅ  ｃｅｌｌｕｌａｒ  ｐｈｏｎｅ）の性能評価に供する通信端末の性能測定システムとして、図２６に示すように、試験用の計測器２２の一端に被評価用の通信端末２１に接続すると共に、試験用の計測器２２の他端に評価装置、例えば、パーソナルコンピュータ等の端末装置２３を接続することによって構築された通信端末の性能測定システムが知られている。【０００３】  このような通信端末の性能測定システムの場合、試験用の計測器２２は、内部に、互いに異なる通信プロトコルを有する複数の通信システム、具体的にはＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続方式）やＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ：ディジタル携帯電話システム方式）で、被評価用の通信端末２１と各種の通信試験を実行するための回路が内蔵されている。【０００４】  なお、通信システムとしては、上述の他にも、例えば、次のような通信システムなどが知られている。【０００５】  ｃｄｍａ２０００（Ｃｏｄｅ  Ｄｉｖｉｓｉｏｎ  Ｍｕｌｔｉｐｌｅ
Ａｃｃｅｓｓ  ２０００：符号分割多元接続方式２０００）
ＴＤ−ＣＤＭＡ（Ｔｉｍｅ  Ｄｉｖｉｓｉｏｎ−Ｃｏｄｅ  Ｄｉｖｉｓｉｏｎ
Ｍｕｌｔｉｐｌｅ  Ａｃｃｅｓｓ：時分割符号分割多元接続方式）
ＴＤ−ＳＣＤＭＡ（Ｔｉｍｅ  Ｄｉｖｉｓｉｏｎ−Ｓｙｎｃｈｒｏｎｏｕｓ  Ｃｏｄｅ          Ｄｉｖｉｓｉｏｎ  Ｍｕｌｔｉｐｌｅ  Ａｃｃｅｓｓ：時分割同期          符号分割多元接続方式）
すなわち、試験用の計測器２２は、基本的には、被評価用の通信端末２１の接続状態における複数の通信システムに対応した所定の性能測定用の一連の手順を保有し、その手順に沿った所定のメッセージ情報を含む一連の試験信号を前記被評価用の通信端末２１に送信し、該被評価用の通信端末２１から前記所定の性能測定用の一連の試験信号に対応した一連の応答信号を受信するように構成されている。【０００６】  この通信端末の性能測定システムでは、試験用の計測器２２から被評価用の通信端末２１に性能測定用の一連の試験信号を送信し、被評価用の通信端末２１からの応答信号を試験用の計測器２２で受信することにより、計測器２２と通信端末２１との間で通信試験が行われると共に、この通信試験の結果としてのトレース情報が被評価用の通信端末２１の性能測定データとして評価用の端末装置２３に保存される。【０００７】  そして、オペレータは、評価用の端末装置２３に保存されている被評価用の通信端末２１の性能測定データとしてのトレース情報を表示画面上に表示させて、その内容を解析することにより被評価用の通信端末２１の性能を評価している。【０００８】  また、携帯電話の試験装置として、本願と同一の出願人による下記特許文献１には、Ｗ−ＣＤＭＡ方式の移動体端末の秘匿性試験（ｃｉｐｈｅｒｉｎｇ  ｔｅｓｔ）を行うための試験装置が開示されている。【０００９】  この特許文献１に開示される試験装置では、図２７に示すように、試験時に通信情報の流れを内部的な詳細な流れまで含めて表示している。
［特許文献１］欧州特許出願公開（ＥＰ  １  ３５５  ５０４Ａ１）しかしながら、上述した特許文献１に開示される試験装置では、図２７に示すように、通話開始に対する計測器２２内部の各種設定情報を示すＣｏｎｆｉｇ（コンフィグ）や、ユーザのデータを示すＵプレーン（ユーザプレーン）に相当する通信情報が複数行に渡って表示されており、その表示情報が細か過ぎて、オペレータが所望のログシーケンス情報を得るのが困難である。【００１０】  この問題を解消するため、通信情報として、表示画面上にシナリオメッセージのデコード情報のみを表示することも考えられる。【００１１】  しかるに、この場合、オペレータはトレース情報の取得後、手探りでデコード情報を探し出さなければならず、トレース情報が膨大な場合には、どの地点に望む情報があるかを見つけることが困難である。【００１２】  従って、通信情報として、表示画面上にシナリオメッセージのデコード情報のみを表示するようにした場合においても、上述した特許文献１の試験装置と同様に、オペレータが膨大なトレース情報の中から所望のログシーケンス情報を容易に見つけ出すのが困難である。【００１３】  そして、現在の携帯電話には、Ｗ−ＣＤＭＡやＧＳＭ等の互いに異なる通信プロトコルを有する複数の通信システムが存在しており、一台の通信端末で複数の通信システムのいずれとも通信できるようになっている。【００１４】  従って、このような複数の通信システムのいずれとも通信できる通信端末を製品として開発する場合には、複数の通信システム間の切り替えによっても通信が適切に行われているかどうかを測定するための試験装置が必要になる。【００１５】  しかも、オペレータが測定した結果を時間をかけて評価するためには、測定結果としての通信記録を一旦全て保存しておき、後からでも見ることができるようにしておく必要がある。【００１６】  この場合にも、測定結果としての通信記録であるトレース情報は膨大な量となるので、その中からオペレータが所望するログシーケンス情報を容易に見つけ出すことができる通信端末の性能測定システムが望まれている。
【発明の開示】
【００１７】  そこで、本発明は上記問題点に鑑みてなされたものであって、複数の通信システムによる通信端末と評価用の計測器間の通信試験情報の流れを示すログシーケンス情報を含むトレース情報群を表示して通信端末の性能評価に供する通信端末の評価システムにおいて、効率的なトレース情報表示機能を実現するために組み込まれたトレース情報解析ソフトウェアで支援することにより、オペレータが、膨大な情報量を持ったトレース情報群の中から目的とするログシーケンス情報を容易に見つけ出すことができるようにした通信端末の性能測定システム及び通信端末の性能測定方法を提供することを目的としている。
【００１８】  前記目的を達成するために、本発明の第１の態様によると、
被評価用の通信端末（２１）の接続状態における通信システムの種別に対応した所定の性能測定用の一連の手順を保有し、その手順に沿った所定のメッセージ情報を含む試験信号を前記被評価用の通信端末（２１）に送信し、該被評価用の通信端末（２１）から前記所定の性能測定用の一連の試験信号に対応した所定のメッセージ情報を含む一連の応答信号を受信する通信端末試験用の計測器（２２）と、
前記通信端末試験用の計測器（２２）によって送信された前記一連の試験信号及び前記試験用の計測器（２２）によって受信された前記一連の応答信号のそれぞれの前記所定のメッセージ情報に基づいたログ情報の内容と種類に関する情報を有する複数のログ情報を含むトレース情報を取得すると共に、前記トレース情報に含まれる複数のログ情報に前記所定のメッセージ情報のそれぞれが取得された時刻を表す時刻情報を付与するトレース情報取得部（３）と、
前記トレース情報取得部（３）によって取得された前記複数のログ情報を含むトレース情報を所定の形態で表示器（５）に表示するトレース情報表示処理制御部（４）とを具備し、
前記トレース情報表示処理制御部（４）は、
前記トレース情報取得部（３）によって取得されたトレース情報に含まれる前記複数のログ情報を前記ログ情報の内容と種類に関する情報に基づいて前記所定のメッセージ情報の種類に応じて区分けして識別可能に前記複数のログ情報のそれぞれに付与されている前記時刻情報に基づいて時系列に並べたインジケーションバー（１３）を表示するインジケーションバー表示部（４ａ）と、
前記トレース情報取得部（３）によって取得された前記トレース情報に含まれる前記複数のログ情報のうち、所定数のログ情報についての前記一連の試験信号及び前記一連の応答信号の流れを前記ログ情報の内容と種類に関する情報に基づいて前記所定数のログ情報のそれぞれに付与されている前記時刻情報によるタイムスタンプ（１２ｂ）を有するログシーケンス（１２）として前記インジケーションバー（１３）と関連付けて表示するログシーケンス表示部（４ｂ）とを備えたことを特徴とする通信端末の性能測定システムが提供される。
【００１９】  前記目的を達成するために、本発明の第２の態様によると、
前記トレース情報取得部（３）及び前記トレース情報表示処理制御部（４）の少なくとも一方に対して所定の設定入力情報を設定する設定入力情報設定部（２）をさらに具備することを特徴とする第１の態様に従う通信端末の性能測定システムが提供される。
【００２０】  前記目的を達成するために、本発明の第３の態様によると、
前記トレース情報表示処理制御部（４）は、前記インジケーションバー表示部（４ａ）によって表示される前記インジケーションバー（１３）上の任意の位置を前記設定入力情報設定部（２）によって設定される選択設定入力情報に基づいて選択可能とするタスクバー（１４）を表示するタスクバー表示部（４ｃ）をさらに備えたことを特徴とする第２の態様に従う通信端末の性能測定システムが提供される。
【００２１】  前記目的を達成するために、本発明の第４の態様によると、
前記トレース情報取得部（３）は、該トレース情報取得部（３）によって取得される前記複数のログ情報を含むトレース情報を該トレース情報取得部（３）によって前記複数のログ情報に付与される前記時刻情報と共に記憶する記憶部（３ａ）を含むことを特徴とする第１の態様に従う通信端末の性能測定システムが提供される。
【００２２】  前記目的を達成するために、本発明の第５の態様によると、
前記トレース情報取得部（３）によって取得された前記トレース情報に含まれる前記複数のログ情報のそれぞれには、前記通信システムの種別を示す通信システム情報が含まれており、
前記インジケーションバー表示部（４ａ）は、前記通信システム情報に基づいて前記複数のログ情報のそれぞれの通信システムの種別が識別可能なように前記インジケーションバー（１３）を表示することを特徴とする第１の態様に従う通信端末の性能測定システムが提供される。
【００２３】  前記目的を達成するために、本発明の第６の態様によると、
前記ログシーケンス表示部（４ｂ）は、少なくとも、前記トレース情報取得部（３）によって取得されたトレース情報に含まれる前記複数のログ情報のうち、所定数のログ情報について前記ログ情報の内容と種類に関する情報に基づいて、前記所定のメッセージ情報のプレーンの種別と通信の方向との少なくとも一方を含むトレース情報表示バー（１２ｄ）を表示するトレース情報表示バー表示部（４ｂ３）を備えていることを特徴とする第２の態様に従う通信端末の性能測定システムが提供される。
【００２４】  前記目的を達成するために、本発明の第７の態様によると、
前記プレーンの種別には、前記一連の試験信号及び前記一連の応答信号に含まれる試験のための各種設定情報を示すコントロールプレーンと、前記一連の試験信号及び前記一連の応答信号に含まれて通信されるユーザデータを示すユーザプレーンとの少なくとも一方が備えられていることを特徴とする第６の態様に従う通信端末の性能測定システムが提供される。
【００２５】  前記目的を達成するために、本発明の第８の態様によると、
前記トレース情報表示バー表示部（４ｂ３）によって表示される前記トレース情報表示バー（１２ｄ）には、前記一連の試験信号及び前記一連の応答信号による通信試験のための前記通信端末試験用の計測器（２２）内部の設定情報を示すコンフィグ情報が含まれていることを特徴とする第６の態様に従う通信端末の性能測定システムが提供される。
【００２６】  前記目的を達成するために、本発明の第９の態様によると、
前記ログシーケンス表示部（４ｂ）は、
前記トレース情報取得部（３）によって取得されたトレース情報に含まれる前記複数のログ情報のうち、所定数のログ情報に関するそれぞれの通信システムの種別を示す通信システム表示バー（１２ｃ）を前記ログ情報の内容と種類に関する情報に基づいて、前記トレース情報表示バー表示部（４ｂ３）によって表示される前記トレース情報表示バー（１２ｄ）に対応させて表示する通信システム表示バー表示部（４ｂ２）と、
前記トレース情報表示バー表示部（４ｂ３）によって表示される前記トレース情報表示バー（１２ｄ）及び前記通信システム表示バー表示部（４ｂ２）によって表示される前記通信システム表示バー（１２ｃ）に対応させて前記所定数のログ情報のそれぞれに付与された前記時刻情報によるタイムスタンプ（１２ｂ）を表示するタイムスタンプ表示部（４ｂ１）とをさらに備えていることを特徴とする第６の態様に従う通信端末の性能測定システムが提供される。
【００２７】  前記目的を達成するために、本発明の第１０の態様によると、
前記通信システム表示バー表示部（４ｂ２）は、前記通信システム表示バー（１２ｃ）上に表示する前記通信システムの種別を前記設定入力情報設定部（２）によって設定される選択設定入力情報に基づいて選択可能に表示することを特徴とする第９の態様に従う通信端末の性能測定システムが提供される。
【００２８】  前記目的を達成するために、本発明の第１１の態様によると、
前記通信システム表示バー表示部（４ｂ２）は、前記通信システム表示バー（１２ｃ）を前記所定数のログ情報に関するそれぞれの通信システムの種別に対応させて色分け表示することを特徴とする第９の態様に従う通信端末の性能測定システムが提供される。
【００２９】  前記目的を達成するために、本発明の第１２の態様によると、
前記トレース情報表示バー表示部（４ｂ３）は、前記トレース情報表示バー（１２ｄ）を前記所定数のログ情報に関するそれぞれの前記所定のメッセージ情報のプレーンの種別に対応させて色分け表示することを特徴とする第６の態様に従う通信端末の性能測定システムが提供される。
【００３０】  前記目的を達成するために、本発明の第１３の態様によると、
前記通信システム表示バー表示部（４ｂ２）は、前記通信システム表示バー（１２ｃ）を前記所定数のログ情報に関するそれぞれの通信システムの種別に対応させて色分け表示する際に、前記設定入力情報設定部（２）によって設定される色分け設定入力情報に基づいた色分け表示を可能とすることを特徴とする第１１の態様に従う通信端末の性能測定システムが提供される。
【００３１】  前記目的を達成するために、本発明の第１４の態様によると、
前記トレース情報表示バー表示部（４ｂ３）は、前記トレース情報表示バー（１２ｄ）を前記所定数のログ情報に関するそれぞれの前記所定のメッセージ情報のプレーンの種別に対応させて色分け表示する際に、前記設定入力情報設定部（２）によって設定される色分け設定入力情報に基づいた色分け表示を可能とすることを特徴とする第１２の態様に従う通信端末の性能測定システムが提供される。
【００３２】  前記目的を達成するために、本発明の第１５の態様によると、
前記トレース情報表示バー表示部（４ｂ３）は、
前記所定数のログ情報に関するそれぞれの前記所定のメッセージ情報のプレーンの種別と通信の方向及び前記通信試験のための前記通信端末試験用の計測器（２２）内部の設定情報を示すコンフィグ情報を含むトレース情報表示バー（１２ｄ）上の任意の位置を前記設定入力情報設定部（２）によって設定される選択設定入力情報に基づいて選択可能に表示すると共に、
前記設定入力情報設定部（２）によって設定される選択設定入力情報に基づいて選択されたトレース情報表示バー（１２ｄ）上の任意の位置に対応するログ情報に関する詳細情報を表示することを特徴とする第８の態様に従う通信端末の性能測定システムが提供される。
【００３３】  前記目的を達成するために、本発明の第１６の態様によると、
前記インジケーションバー表示部（４ａ）は、前記インジケーションバー（１３）を前記トレース情報取得部（３）によって取得されたトレース情報に含まれる前記複数のログ情報を前記所定のメッセージ情報の種類に応じてそれぞれの種類毎に色分け表示することを特徴とする第２の態様に従う通信端末の性能測定システムが提供される。
【００３４】  前記目的を達成するために、本発明の第１７の態様によると、
前記ログシーケンス表示部（４ｂ）は、前記トレース情報取得部（３）によって取得されたトレース情報に含まれる前記複数のログ情報のうち、所定数のログ情報が取得されたそれぞれの順番を示すインデックス情報（１２ａ）を前記トレース情報表示バー表示部（４ｂ３）によって表示される前記トレース情報表示バー（１２ｄ）及び前記通信システム表示バー表示部（４ｂ２）によって表示される前記通信システム表示バー（１２ｃ）に対応させて表示するインデックス情報表示部（４ｂ４）をさらに備えたことを特徴とする第９の態様に従う通信端末の性能測定システムが提供される。
【００３５】  前記目的を達成するために、本発明の第１８の態様によると、
前記インジケーションバー表示部（４ａ）は、
前記トレース情報取得部（３）によって取得されたトレース情報に含まれる前記複数のログ情報のうち、所定数のログ情報を前記ログ情報の内容と種類に関する情報に基づいて前記所定のメッセージ情報の種類に応じて区分けして識別可能に前記所定数のログ情報のそれぞれに付与された前記時刻情報に基づいて時系列に並べた第１のインジケーションバー（１３ｂ）として表示する第１のインジケーションバー表示部（４ａ１）と、
前記第１のインジケーションバー表示部（４ａ１）によって表示される前記第１のインジケーションバー（１３ｂ）では表示しきれないログ情報がある場合に、前記トレース情報取得部（３）によって取得されたトレース情報に含まれる前記複数のログ情報の全てを前記ログ情報の内容と種類に関する情報に基づいて前記所定のメッセージ情報の種類に応じて区分けして識別可能とすることなく実質的に圧縮された状態でそれぞれに付与された前記時刻情報に基づいて時系列に並べた第２のインジケーションバー（１３ａ）として前記第１のインジケーションバー（１３ｂ）に対応させて表示する第２のインジケーションバー表示部（４ａ２）とを備えたことを特徴とする第１７の態様に従う通信端末の性能測定システムが提供される。
【００３６】  前記目的を達成するために、本発明の第１９の態様によると、
前記インジケーションバー表示部（４ａ）は、
前記第２のインジケーションバー表示部（４ａ２）によって表示された前記第２のインジケーションバー（１３ａ）上の任意の位置を前記設定入力情報設定部（２）によって設定される選択設定入力情報に基づいて選択可能に表示すると共に、
前記設定入力情報設定部（２）によって設定される選択設定入力情報に基づいて前記第２のインジケーションバー（１３ａ）上の任意の位置が選択された場合に、当該任意の位置のログ情報を含む所定範囲のログ情報を前記第１のインジケーションバー表示部（４ａ１）によって表示される前記第１のインジケーションバー（１３ｂ）上に拡大して表示させることを特徴とする第１８の態様に従う通信端末の性能測定システムが提供される。
【００３７】  前記目的を達成するために、本発明の第２０の態様によると、
前記インジケーションバー表示部（４ａ）は、前記設定入力情報設定部（２）によって設定される設定入力情報に基づいて、前記トレース情報取得部（３）によって取得されたトレース情報に含まれる前記複数のログ情報のうち、所定数のログ情報を前記ログ情報の内容と種類に関する情報に基づいて前記通信システムの種別に対応して複数のバーに分けて識別可能に且つ前記複数のバーのそれぞれのバー毎に前記所定のメッセージ情報の種類に応じて区分けして識別可能に前記所定数のログ情報のそれぞれに付与された前記時刻情報に基づいて時系列に並べた複数のインジケーションバー（１３ｂＡ，１３ｂＢ）として表示する複数のインジケーションバー表示部（４ａ３）を備えたことを特徴とする第２の態様に従う通信端末の性能測定システムが提供される。
【００３８】  前記目的を達成するために、本発明の第２１の態様によると、
前記インジケーションバー表示部（４ａ）は、前記設定入力情報設定部（２）によって設定される設定入力情報に基づいて、前記トレース情報取得部（３）によって取得されたトレース情報に含まれる前記複数のログ情報のうち、所定数のログ情報を前記ログ情報の内容と種類に関する情報に基づいて通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた２つのインジケーションバー（１３ｂＣ，１３ｂＤ）として表示する２つのインジケーションバー表示部（４ａ４）を備えたことを特徴とする第２の態様に従う通信端末の性能測定システムが提供される。
【００３９】  前記目的を達成するために、本発明の第２２の態様によると、
前記インジケーションバー表示部（４ａ）は、前記設定入力情報設定部（２）によって設定される設定入力情報に基づいて、前記トレース情報取得部（３）によって取得されたトレース情報に含まれる前記複数のログ情報のうち、所定数のログ情報を前記ログ情報の内容と種類に関する情報に基づいて前記通信システムの種別に対応して複数のバーに分けて識別可能に且つ通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた複数のインジケーションバー（１３ｂＡ，１３ｂＢ，１３ｂＣ，１３ｂＤ）として表示する複数のインジケーションバー表示部（４ａ３）を備えたことを特徴とする第２の態様に従う通信端末の性能測定システムが提供される。
【００４０】  前記目的を達成するために、本発明の第２３の態様によると、
前記インジケーションバー表示部（４ａ）は、前記設定入力情報設定部（２）によって設定される設定入力情報に基づいて、任意のログ情報の検索が選択された場合に、前記第１のインジケーションバー（１３ｂ）の表示に対応するログ情報から当該任意のログ情報を検索を指示すると共に、前記検索によって見つけ出されたログ情報の前記第１のインジケーションバー（１３ｂ）上での位置する箇所を前記第１のインジケーションバー（１３ｂ）に識別可能に表示することを特徴とする第１８の態様に従う通信端末の性能測定システムが提供される。
【００４１】  前記目的を達成するために、本発明の第２４の態様によると、
前記インジケーションバー表示部（４ａ）は、前記検索によって見つけ出されたログ情報の位置する前記第１のインジケーションバー（１３ｂ）上の該当箇所を点滅表示することを特徴とする第２３の態様に従う通信端末の性能測定システムが提供される。
【００４２】  前記目的を達成するために、本発明の第２５の態様によると、
前記ログシーケンス表示部（４ｂ）は、前記インジケーションバー（１３）と関連付けて表示する前記ログシーケンス（１２）として、前記検索によって複数のログ情報が見つけ出されたとき、当該複数のログ情報のうち最初のログ情報の位置する箇所のログシーケンス（１２）を表示することを特徴とする第２３の態様に従う通信端末の性能測定システムが提供される。
【００４３】  前記目的を達成するために、本発明の第２６の態様によると、
前記インジケーションバー表示部（４ａ）は、
前記設定入力情報設定部（２）によって設定される設定入力情報による検索条件に基づいて、任意のログ情報の検索が選択された場合に、前記第２のインジケーションバー（１３ａ）の表示に対応するログ情報から当該任意のログ情報の検索が開始され、前記検索によって見つけ出されたログ情報の位置する箇所を前記第２のインジケーションバー（１３ａ）に識別可能に表示すると共に、
前記設定入力情報設定部（２）によって設定される設定入力情報に基づいて、前記第２のインジケーションバー（１３ａ）上で識別可能に表示されている箇所が選択された場合に、前記第１のインジケーションバー（１３ｂ）上に前記検索条件と一致する該当箇所を識別可能に表示することを特徴とする第１８の態様に従う通信端末の性能測定システムが提供される。
【００４４】  前記目的を達成するために、本発明の第２７の態様によると、
前記インジケーションバー表示部（４ａ）は、
前記検索によって見つけ出されたログ情報の位置する前記第２のインジケーションバー（１３ａ）上の該当箇所を点滅表示すると共に、
前記検索によって見つけ出されたログ情報の位置する前記第１のインジケーションバー（１３ｂ）上の該当箇所を点滅表示することを特徴とする第２６の態様に従う通信端末の性能測定システムが提供される。
【００４５】  前記目的を達成するために、本発明の第２８の態様によると、
前記ログシーケンス表示部（４ｂ）は、前記インジケーションバー（１３）と関連付けて表示する前記ログシーケンス（１２）として、前記検索によって複数のログ情報が見つけ出されたとき、当該複数のログ情報のうち最初のログ情報の位置する箇所のログシーケンス（１２）を表示することを特徴とする第２６の態様に従う通信端末の性能測定システムが提供される。
【００４６】  前記目的を達成するために、本発明の第２９の態様によると、
前記インジケーションバー表示部（４ａ）は、
前記設定入力情報設定部（２）によって設定される設定入力情報に基づいて、予め、検索を目的とするトレース情報の条件としてのトリガー情報を内部的に設定可能とすると共に、
前記トレース情報取得部（３）から、予め設定された前記トリガー情報に一致したトレース情報が得られたときに、前記第１のインジケーションバー（１３ｂ）上の該当箇所の位置を識別可能に表示することを特徴とする第１８の態様に従う通信端末の性能測定システムが提供される。
【００４７】  前記目的を達成するために、本発明の第３０の態様によると、
前記インジケーションバー表示部（４ａ）は、前記トレース情報取得部（３）から、予め設定された前記トリガー情報と一致するトレース情報が得られたときに、前記第１のインジケーションバー（１３ｂ）上の該当箇所の位置を点滅表示することを特徴とする第２９の態様に従う通信端末の性能測定システムが提供される。
【００４８】  前記目的を達成するために、本発明の第３１の態様によると、
前記ログシーケンス表示部（４ｂ）は、前記インジケーションバー（１３）と関連付けて表示する前記ログシーケンス（１２）として、前記トレース情報取得部（３）から、予め設定された前記トリガー情報と一致するトレース情報が得られたときに、当該トレース情報に含まれるログ情報のログシーケンス（１２）を表示することを特徴とする第２９の態様に従う通信端末の性能測定システムが提供される。
【００４９】  前記目的を達成するために、本発明の第３２の態様によると、
前記ログシーケンス表示部（４ｂ）は、前記インジケーションバー（１３）と関連付けて表示する前記ログシーケンス（１２）として、前記トレース情報取得部（３）によって取得された前記トレース情報に含まれる複数のログ情報が無通信状態時のログ情報を含むとき、当該無通信状態時のログ情報のレコードを省いて前記ログ情報のログシーケンス（１２）を表示することを特徴とする第１の態様に従う通信端末の性能測定システムが提供される。
【００５０】  前記目的を達成するために、本発明の第３３の態様によると、
前記タスクバー表示部（４ｃ）は、前記設定入力情報設定部（２）によって設定される選択設定入力情報に基づいて、前記インジケーションバー表示部（４ａ）によって表示されるインジケーションバー（１３）の近傍に、前記ログシーケンス表示部（４ｂ）によって現在の時点で表示されている前記ログシーケンス（１２）の範囲を示すタスクバー（１４）を表示することを特徴とする第３の態様に従う通信端末の性能測定システムが提供される。
【００５１】  前記目的を達成するために、本発明の第３４の態様によると、
前記タスクバー表示部（４ｃ）は、前記設定入力情報設定部（２）によって設定される選択設定入力情報に基づいて、前記インジケーションバー表示部（４ａ）によって表示されるインジケーションバー（１３）の近傍に、前記ログシーケンス表示部（４ｂ）によって現在の時点で表示されている前記ログシーケンス（１２）の先頭をポイントで示すタスクバー（１４）を表示することを特徴とする第３の態様に従う通信端末の性能測定システムが提供される。
【００５２】  前記目的を達成するために、本発明の第３５の態様によると、
前記第１のインジケーションバー表示部（４ａ１）は、前記トレース情報取得部（３）によって取得されたトレース情報に含まれる前記複数のログ情報において、前記所定のメッセージ情報の種類が同一で且つ前記通信システムの種別が同一であるログ情報が連続する場合に、前記第１のインジケーションバー（１３ｂ）上で当該連続したログ情報を一つのログ情報に対応する長さを圧縮して表示することを特徴とする第１８の態様に従う通信端末の性能測定システムが提供される。
【００５３】  前記目的を達成するために、本発明の第３６の態様によると、
前記第１のインジケーションバー表示部（４ａ１）は、前記トレース情報取得部（３）によって取得された前記トレース情報に含まれる前記複数のログ情報が無通信状態時のログ情報を含むとき、当該無通信状態時のログ情報のレコードを含めて全体のログ情報を前記第１のインジケーションバー（１３ｂ）上に表示することを特徴とする第１８の態様に従う通信端末の性能測定システムが提供される。
【００５４】  前記目的を達成するために、本発明の第３７の態様によると、
前記第２のインジケーションバー表示部（４ａ２）は、前記第２のインジケーションバー（１３ａ）を、前記第１のインジケーションバー表示部（４ａ１）によって表示される前記第１のインジケーションバー（１３ｂ）上で表示可能な範囲毎に複数の範囲に区切って表示することを特徴とする第１８の態様に従う通信端末の性能測定システムが提供される。
【００５５】  前記目的を達成するために、本発明の第３８の態様によると、
前記第１のインジケーションバー表示部（４ａ１）は、前記設定入力情報設定部（２）によって設定される設定入力情報に基づいて、前記第１のインジケーションバー（１３ｂ）を該第１のインジケーションバー（１３ｂ）の近傍に表示される前記タイムスタンプ（１２ｂ）及び前記インデックス情報（１２ａ）の少なくとも一方と連動させて表示することを特徴とする第１８の態様に従う通信端末の性能測定システムが提供される。
【００５６】  前記目的を達成するために、本発明の第３９の態様によると、
前記第２のインジケーションバー表示部（４ａ２）は、前記設定入力情報設定部（２）によって設定される設定入力情報に基づいて、前記第２のインジケーションバー（１３ａ）を該第２のインジケーションバー（１３ａ）の近傍に表示される前記タイムスタンプ（１２ｂ）及び前記インデックス情報（１２ａ）の少なくとも一方と連動させて表示することを特徴とする第１８の態様に従う通信端末の性能測定システムが提供される。
【００５７】  前記目的を達成するために、本発明の第４０の態様によると、
前記設定入力情報設定部（２）は、前記表示器（５）の表示画面上に表示されているソフトキーからなる前記トレース情報の取得を開始する際に操作されるＳｔａｒｔキー（１１ａ）、前記トレース情報の取得を停止する際に操作されるＳｔｏｐキー（１１ｂ）、各種の設定の際に操作されるＯｐｔｉｏｎキー（１１ｃ）、前記トレース情報の中から目的のトレース情報を検索する際に操作されるＦｉｎｄキー（１１ｄ）、取得したトレース情報を保存する際に操作されるＳａｖｅキー（１１ｅ）及び保存されているトレース情報を読み出す際に操作されるＬｏａｄキー（１１ｆ）を含む複数の操作キー（１１）を有していることを特徴とする第２の態様に従う通信端末の性能測定システムが提供される。
【００５８】  前記目的を達成するために、本発明の第４１の態様によると、
被評価用の通信端末（２１）の接続状態における通信システムの種別に対応した所定の性能測定用の一連の手順を保有し、その手順に沿った所定のメッセージ情報を含む試験信号を前記被評価用の通信端末（２１）に送信し、該被評価用の通信端末（２１）から前記所定の性能測定用の一連の試験信号に対応した所定のメッセージ情報を含む一連の応答信号を受信する通信端末試験用の計測器（２２）を準備する段階と、
前記通信端末試験用の計測器（２２）によって送信された前記一連の試験信号及び前記試験用の計測器（２２）によって受信された前記一連の応答信号のそれぞれの前記所定のメッセージ情報に基づいたログ情報の内容と種類に関する情報を有する複数のログ情報を含むトレース情報を取得すると共に、前記トレース情報に含まれる複数のログ情報に前記所定のメッセージ情報のそれぞれが取得された時刻を表す時刻情報を付与する段階と、
前記トレース情報を取得する段階によって取得された複数のログ情報を含むトレース情報を所定の形態で表示器（５）に表示する段階とを具備し、
前記トレース情報を表示する段階は、
前記トレース情報を取得する段階によって取得された前記トレース情報に含まれる前記複数のログ情報を前記ログ情報の内容と種類に関する情報に基づいて前記所定のメッセージ情報の種類に応じて区分けして識別可能に前記複数のログ情報のそれぞれに付与されている前記時刻情報に基づいて時系列に並べたインジケーションバー（１３）を表示する段階と、
前記トレース情報を取得する段階によって取得された前記トレース情報に含まれる前記複数のログ情報のうち、所定数のログ情報についての前記一連の試験信号及び前記一連の応答信号の流れを前記ログ情報の内容と種類に関する情報に基づいて前記所定数のログ情報のそれぞれに付与されている前記時刻情報によるタイムスタンプ（１２ｂ）を有するログシーケンス（１２）として前記インジケーションバー（１３）と関連付けて表示する段階とを備えたことを特徴とする通信端末の性能測定方法が提供される。
【００５９】  前記目的を達成するために、本発明の第４２の態様によると、
前記トレース情報を取得する段階及び前記トレース情報を表示する段階の少なくとも一方に対して所定の設定入力情報を設定する段階をさらに具備することを特徴とする第４１の態様に従う通信端末の性能測定方法が提供される。
【００６０】  前記目的を達成するために、本発明の第４３の態様によると、
前記トレース情報を表示する段階は、前記インジケーションバー（１３）上の任意の位置を前記設定入力情報を設定する段階によって設定される選択設定入力情報に基づいて選択可能とするタスクバー（１４）を表示する段階をさらに備えたことを特徴とする第４２の態様に従う通信端末の性能測定方法が提供される。
【００６１】  前記目的を達成するために、本発明の第４４の態様によると、
前記トレース情報を取得する段階は、該トレース情報を取得する段階によって取得される前記複数のログ情報を含むトレース情報を該トレース情報を取得する段階によって前記複数のログ情報に付与される前記時刻情報と共に記憶部（３ａ）記憶する段階を含むことを特徴とする第４１の態様に従う通信端末の性能測定方法が提供される。
【００６２】  前記目的を達成するために、本発明の第４５の態様によると、
前記トレース情報を取得する段階によって取得された前記トレース情報に含まれる前記複数のログ情報のそれぞれには、前記通信システムの種別を示す通信システム情報が含まれており、
前記インジケーションバーを表示する段階は、前記通信システム情報に基づいて前記複数のログ情報のそれぞれの通信システムの種別が識別可能なように前記インジケーションバー（１３）を表示することを特徴とする第４１の態様に従う通信端末の性能測定方法が提供される。
【００６３】  前記目的を達成するために、本発明の第４６の態様によると、
前記ログシーケンスを表示する段階は、少なくとも、前記トレース情報を取得する段階によって取得されたトレース情報に含まれる前記複数のログ情報のうち、所定数のログ情報について前記ログ情報の内容と種類に関する情報に基づいて、前記所定のメッセージ情報のプレーンの種別と通信の方向との少なくとも一方を含むトレース情報表示バー（１２ｄ）を表示する段階を備えていることを特徴とする第４２の態様に従う通信端末の性能測定方法が提供される。
【００６４】  前記目的を達成するために、本発明の第４７の態様によると、
前記プレーンの種別には、前記一連の試験信号及び前記一連の応答信号に含まれる試験のための各種設定情報を示すコントロールプレーンと、前記一連の試験信号及び前記一連の応答信号に含まれて通信されるユーザデータを示すユーザプレーンとの少なくとも一方が備えられていることを特徴とする第４６の態様に従う通信端末の性能測定方法が提供される。
【００６５】  前記目的を達成するために、本発明の第４８の態様によると、
前記トレース情報表示バー（１２ｄ）を表示する段階によって表示される前記トレース情報表示バー（１２ｄ）には、前記一連の試験信号及び前記一連の応答信号による通信試験のための前記通信端末試験用の計測器（２２）内部の設定情報を示すコンフィグ情報が含まれていることを特徴とする第４６の態様に従う通信端末の性能測定方法が提供される。
【００６６】  前記目的を達成するために、本発明の第４９の態様によると、
前記ログシーケンスを表示する段階は、
前記トレース情報を取得する段階によって取得されたトレース情報に含まれる前記複数のログ情報のうち、所定数のログ情報に関するそれぞれの通信システムの種別を示す通信システム表示バー（１２ｃ）を前記ログ情報の内容と種類に関する情報に基づいて、前記トレース情報表示バーを表示する段階によって表示される前記トレース情報表示バー（１２ｄ）に対応させて表示する段階と、
前記トレース情報表示バー（１２ｄ）を表示する段階によって表示される前記トレース情報表示バー（１２ｄ）及び前記通信システム表示バー（１２ｃ）を表示する段階によって表示される前記通信システム表示バー（１２ｃ）に対応させて前記所定数のログ情報のそれぞれに付与された前記時刻情報によるタイムスタンプ（１２ｂ）を表示する段階とをさらに備えていることを特徴とする第４６の態様に従う通信端末の性能測定方法が提供される。
【００６７】  前記目的を達成するために、本発明の第５０の態様によると、
前記通信システム表示バー（１２ｃ）を表示する段階は、前記通信システム表示バー（１２ｃ）上に表示する前記通信システムの種別を前記設定入力情報を設定する段階によって設定される選択設定入力情報に基づいて選択可能に表示することを特徴とする第４９の態様に従う通信端末の性能測定方法が提供される。
【００６８】  前記目的を達成するために、本発明の第５１の態様によると、
前記通信システム表示バー（１２ｃ）を表示する段階は、前記通信システム表示バー（１２ｃ）を前記所定数のログ情報に関するそれぞれの通信システムの種別に対応させて色分け表示することを特徴とする第４９の態様に従う通信端末の性能測定方法が提供される。
【００６９】  前記目的を達成するために、本発明の第５２の態様によると、
前記トレース情報表示バー（１２ｄ）を表示する段階は、前記トレース情報表示バー（１２ｄ）を前記所定数のログ情報に関するそれぞれの前記所定のメッセージ情報のプレーンの種別に対応させて色分け表示することを特徴とする第４６の態様に従う通信端末の性能測定方法が提供される。
【００７０】  前記目的を達成するために、本発明の第５３の態様によると、
前記通信システム表示バー（１２ｃ）を表示する段階は、前記通信システム表示バー（１２ｃ）を前記所定数のログ情報に関するそれぞれの通信システムの種別に対応させて色分け表示する際に、前記設定入力情報を設定する段階によって設定される色分け設定入力情報に基づいた色分け表示を可能とすることを特徴とする第５１の態様に従う通信端末の性能測定方法が提供される。
【００７１】  前記目的を達成するために、本発明の第５４の態様によると、
前記トレース情報表示バー（１２ｄ）を表示する段階は、前記トレース情報表示バー（１２ｄ）を前記所定数のログ情報に関するそれぞれの前記所定のメッセージ情報のプレーンの種別に対応させて色分け表示する際に、前記設定入力情報を設定する段階によって設定される色分け設定入力情報に基づいた色分け表示を可能とすることを特徴とする第５２の態様に従う通信端末の性能測定方法が提供される。
【００７２】  前記目的を達成するために、本発明の第５５の態様によると、
前記トレース情報表示バー表示（１２ｄ）を表示する段階は、
前記所定数のログ情報に関するそれぞれの前記所定のメッセージ情報のプレーンの種別と通信の方向及び前記通信試験のための前記通信端末試験用の計測器（２２）内部の設定情報を示すコンフィグ情報を含むトレース情報表示バー（１２ｄ）上の任意の位置を前記設定入力情報を設定する段階によって設定される選択設定入力情報に基づいて選択可能に表示する段階と、
前記設定入力情報を設定する段階によって設定される選択設定入力情報に基づいて選択されたトレース情報表示バー（１２ｄ）上の任意の位置に対応するログ情報に関する詳細情報を表示する段階とを備えていることを特徴とする第４８の態様に従う通信端末の性能測定方法が提供される。
【００７３】  前記目的を達成するために、本発明の第５６の態様によると、
前記インジケーションバー（１３）を表示する段階は、前記インジケーションバー（１３）を前記トレース情報を取得する段階によって取得されたトレース情報に含まれる前記複数のログ情報を前記所定のメッセージ情報の種類に応じてそれぞれの種類毎に色分け表示することを特徴とする第４２の態様に従う通信端末の性能測定方法が提供される。
【００７４】  前記目的を達成するために、本発明の第５７の態様によると、
前記ログシーケンス（１２）を表示する段階は、前記トレース情報を取得する段階によって取得されたトレース情報に含まれる前記複数のログ情報のうち、所定数のログ情報が取得されたそれぞれの順番を示すインデックス情報（１２ａ）を前記トレース情報表示バー（１２ｄ）を表示する段階によって表示される前記トレース情報表示バー（１２ｄ）及び前記通信システム表示バー（１２ｃ）を表示する段階によって表示される前記通信システム表示バー（１２ｃ）に対応させて表示する段階をさらに備えたことを特徴とする第４９の態様に従う通信端末の性能測定方法が提供される。
【００７５】  前記目的を達成するために、本発明の第５８の態様によると、
前記インジケーションバー（１３）を表示する段階は、
前記トレース情報を取得する段階によって取得されたトレース情報に含まれる前記複数のログ情報のうち、所定数のログ情報を前記ログ情報の内容と種類に関する情報に基づいて前記所定のメッセージ情報の種類に応じて区分けして識別可能に前記所定数のログ情報のそれぞれに付与された前記時刻情報に基づいて時系列に並べた第１のインジケーションバー（１３ｂ）を表示する段階と、
前記第１のインジケーションバー（１３ｂ）を表示する段階によって表示される前記第１のインジケーションバー（１３ｂ）では表示しきれないログ情報がある場合に、前記トレース情報を取得する段階によって取得されたトレース情報に含まれる前記複数のログ情報の全てを前記ログ情報の内容と種類に関する情報に基づいて前記所定のメッセージ情報の種類に応じて区分けして識別可能とすることなく実質的に圧縮された状態でそれぞれに付与された前記時刻情報に基づいて時系列に並べた第２のインジケーションバー（１３ａ）を前記第１のインジケーションバー（１３ｂ）に対応させて表示する段階とを備えたことを特徴とする第５７の態様に従う通信端末の性能測定方法が提供される。
【００７６】  前記目的を達成するために、本発明の第５９の態様によると、
前記インジケーションバー（１３）を表示する段階は、
前記第２のインジケーションバー（１３ａ）を表示する段階によって表示された前記第２のインジケーションバー（１３ａ）上の任意の位置を前記設定入力情報を設定する段階によって設定される選択設定入力情報に基づいて選択可能に表示する段階と、
前記設定入力情報を設定する段階によって設定される選択設定入力情報に基づいて前記第２のインジケーションバー（１３ａ）上の任意の位置が選択された場合に、当該任意の位置のログ情報を含む所定範囲のログ情報を前記第１のインジケーションバー（１３ｂ）を表示する段階によって表示される前記第１のインジケーションバー（１３ｂ）上に拡大して表示させる段階とを備えていることを特徴とする第５８の態様に従う通信端末の性能測定システムが提供される。
【００７７】  前記目的を達成するために、本発明の第６０の態様によると、
前記インジケーションバー（１３）を表示する段階は、前記設定入力情報を設定する段階によって設定される設定入力情報に基づいて、前記トレース情報を取得する段階によって取得されたトレース情報に含まれる前記複数のログ情報のうち、所定数のログ情報を前記ログ情報の内容と種類に関する情報に基づいて前記通信システムの種別に対応して複数のバーに分けて識別可能に且つ前記複数のバーのそれぞれのバー毎に前記所定のメッセージ情報の種類に応じて区分けして識別可能に前記所定数のログ情報のそれぞれに付与された前記時刻情報に基づいて時系列に並べた複数のインジケーションバー（１３ｂＡ，１３ｂＢ）を表示する段階を備えたことを特徴とする第４２の態様に従う通信端末の性能測定方法が提供される。
【００７８】  前記目的を達成するために、本発明の第６１の態様によると、
前記インジケーションバー（１３）を表示する段階は、前記設定入力情報を設定する段階によって設定される設定入力情報に基づいて、前記トレース情報を取得する段階によって取得されたトレース情報に含まれる前記複数のログ情報のうち、所定数のログ情報を前記ログ情報の内容と種類に関する情報に基づいて通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた２つのインジケーションバー（１３ｂＣ，１３ｂＤ）を表示する段階を備えたことを特徴とする第４２の態様に従う通信端末の性能測定方法が提供される。
【００７９】  前記目的を達成するために、本発明の第６２の態様によると、
前記インジケーションバー（１３）を表示する段階は、前記設定入力情報を設定する段階によって設定される設定入力情報に基づいて、前記トレース情報を取得する段階によって取得されたトレース情報に含まれる前記複数のログ情報のうち、所定数のログ情報を前記ログ情報の内容と種類に関する情報に基づいて前記通信システムの種別に対応して複数のバーに分けて識別可能に且つ通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた複数のインジケーションバー（１３ｂＡ，１３ｂＢ，１３ｂＣ，１３ｂＤ）を表示する段階を備えたことを特徴とする第４２の態様に従う通信端末の性能測定方法が提供される。
【００８０】  前記目的を達成するために、本発明の第６３の態様によると、
前記インジケーションバー（１３）を表示する段階は、前記設定入力情報を設定する段階によって設定される設定入力情報に基づいて、任意のログ情報の検索が選択された場合に、前記第１のインジケーションバー（１３ｂ）の表示に対応するログ情報から当該任意のログ情報を検索を指示すると共に、前記検索によって見つけ出されたログ情報の前記第１のインジケーションバー（１３ｂ）上での位置する箇所を前記第１のインジケーションバー（１３ｂ）に識別可能に表示することを特徴とする第５８の態様に従う通信端末の性能測定方法が提供される。
【００８１】  前記目的を達成するために、本発明の第６４の態様によると、
前記インジケーションバー（１３）を表示する段階は、前記検索によって見つけ出されたログ情報の位置する前記第１のインジケーションバー（１３ｂ）上の該当箇所を点滅表示することを特徴とする第６３の態様に従う通信端末の性能測定方法が提供される。
【００８２】  前記目的を達成するために、本発明の第６５の態様によると、
前記ログシーケンス（１２）を表示する段階は、前記インジケーションバー（１３）と関連付けて表示する前記ログシーケンス（１２）として、前記検索によって複数のログ情報が見つけ出されたとき、当該複数のログ情報のうち最初のログ情報の位置する箇所のログシーケンス（１２）を表示することを特徴とする第６３の態様に従う通信端末の性能測定方法が提供される。
【００８３】  前記目的を達成するために、本発明の第６６の態様によると、
前記インジケーションバー（１３）を表示する段階は、
前記設定入力情報を設定する段階によって設定される設定入力情報による検索条件に基づいて、任意のログ情報の検索が選択された場合に、前記第２のインジケーションバー（１３ａ）の表示に対応するログ情報から当該任意のログ情報の検索が開始され、前記検索によって見つけ出されたログ情報の位置する箇所を前記第２のインジケーションバー（１３ａ）上で識別可能に表示する段階と、
前記設定入力情報を設定する段階によって設定される設定入力情報に基づいて、前記第２のインジケーションバー（１３ａ）上で識別可能に表示されている箇所が選択された場合に、前記第１のインジケーションバー（１３ｂ）上に前記検索条件と一致する該当箇所を識別可能に表示する段階を備えていることを特徴とする第５８の態様に従う通信端末の性能測定方法が提供される。
【００８４】  前記目的を達成するために、本発明の第６７の態様によると、
前記インジケーションバー（１３）を表示する段階は、
前記検索によって見つけ出されたログ情報の位置する前記第２のインジケーションバー（１３ａ）上の該当箇所を点滅表示する段階と、
前記検索によって見つけ出されたログ情報の位置する前記第１のインジケーションバー（１３ｂ）上の該当箇所を点滅表示する段階とを備えていることを特徴とする第６６の態様に従う通信端末の性能測定方法が提供される。
【００８５】  前記目的を達成するために、本発明の第６８の態様によると、
前記ログシーケンス（１２）を表示する段階は、前記インジケーションバー（１３）と関連付けて表示する前記ログシーケンス（１２）として、前記検索によって複数のログ情報が見つけ出されたとき、当該複数のログ情報のうち最初のログ情報の位置する箇所のログシーケンス（１２）を表示することを特徴とする第６６の態様に従う通信端末の性能測定方法が提供される。
【００８６】  前記目的を達成するために、本発明の第６９の態様によると、
前記インジケーションバー（１３）を表示する段階は、
前記設定入力情報を設定する段階によって設定される設定入力情報に基づいて、予め、検索を目的とするトレース情報の条件としてのトリガー情報を内部的に設定可能とする段階と、
前記トレース情報を取得する段階によって取得されたトレース情報から、予め設定された前記トリガー情報に一致したトレース情報が得られたときに、前記第１のインジケーションバー（１３ｂ）上の該当箇所の位置を識別可能として表示する段階とを備えていることを特徴とする第５８の態様に従う通信端末の性能測定方法が提供される。
【００８７】  前記目的を達成するために、本発明の第７０の態様によると、
前記インジケーションバー（１３）を表示する段階は、前記トレース情報を取得する段階によって取得されたトレース情報から、予め設定された前記トリガー情報と一致するトレース情報が得られたときに、前記第１のインジケーションバー（１３ｂ）上の該当箇所の位置を点滅表示することを特徴とする第６９の態様に従う通信端末の性能測定方法が提供される。
【００８８】  前記目的を達成するために、本発明の第７１の態様によると、
前記ログシーケンス（１２）を表示する段階は、前記インジケーションバー（１３）と関連付けて表示する前記ログシーケンス（１２）として、前記トレース情報を取得する段階によって取得されたトレース情報から、予め設定された前記トリガー情報と一致するトレース情報が得られたときに、当該トレース情報に含まれるログ情報のログシーケンス（１２）を表示することを特徴とする第６９の態様に従う通信端末の性能測定方法が提供される。
【００８９】  前記目的を達成するために、本発明の第７２の態様によると、
前記ログシーケンス（１２）を表示する段階は、前記インジケーションバー（１３）と関連付けて表示する前記ログシーケンス（１２）として、前記トレース情報を取得する段階によって取得された前記トレース情報に含まれる複数のログ情報が無通信状態時のログ情報を含むとき、当該無通信状態時のログ情報のレコードを省いて前記ログ情報のログシーケンス（１２）を表示することを特徴とする第４１の態様に従う通信端末の性能測定方法が提供される。
【００９０】  前記目的を達成するために、本発明の第７３の態様によると、
前記タスクバー（１４）を表示する段階は、前記設定入力情報を設定する段階によって設定される選択設定入力情報に基づいて、前記インジケーションバー（１３）を表示する段階によって表示されるインジケーションバー（１３）の近傍に、前記ログシーケンス（１２）を表示する段階によって現在の時点で表示されている前記ログシーケンス（１２）の範囲を示すタスクバー（１４）を表示することを特徴とする第４３の態様に従う通信端末の性能測定方法が提供される。
【００９１】  前記目的を達成するために、本発明の第７４の態様によると、
前記タスクバー（１４）を表示する段階は、前記設定入力情報を設定する段階によって設定される選択設定入力情報に基づいて、前記インジケーションバー（１３）を表示する段階によって表示されるインジケーションバー（１３）の近傍に、前記ログシーケンス表示部（４ｂ）によって現在の時点で表示されている前記ログシーケンス（１２）の先頭をポイントで示すタスクバー（１４）を表示することを特徴とする第４３の態様に従う通信端末の性能測定方法が提供される。
【００９２】  前記目的を達成するために、本発明の第７５の態様によると、
前記第１のインジケーションバー（１３ｂ）を表示する段階は、前記トレース情報を取得する段階によって取得されたトレース情報に含まれる前記複数のログ情報において、前記所定のメッセージ情報の種類が同一で且つ前記通信システムの種別が同一であるログ情報が連続する場合に、前記第１のインジケーションバー（１３ｂ）上で当該連続したログ情報を一つのログ情報に対応する長さを圧縮して表示することを特徴とする第５８の態様に従う通信端末の性能測定方法が提供される。
【００９３】  前記目的を達成するために、本発明の第７６の態様によると、
前記第１のインジケーションバー（１３ｂ）を表示する段階は、前記トレース情報を取得する段階によって取得された前記トレース情報に含まれる前記複数のログ情報が無通信状態時のログ情報を含むとき、当該無通信状態時のログ情報のレコードを含めて全体のログ情報を前記第１のインジケーションバー（１３ｂ）上に表示することを特徴とする第５８の態様に従う通信端末の性能測定方法が提供される。
【００９４】  前記目的を達成するために、本発明の第７７の態様によると、
前記第２のインジケーションバー（１３ａ）を表示する段階は、前記第２のインジケーションバー（１３ａ）を、前記第１のインジケーションバー（１３ｂ）を表示する段階によって表示される前記第１のインジケーションバー（１３ｂ）上で表示可能な範囲毎に複数の範囲に区切って表示することを特徴とする第５８の態様に従う通信端末の性能測定方法が提供される。
【００９５】  前記目的を達成するために、本発明の第７８の態様によると、
前記第１のインジケーションバー（１３ｂ）を表示する段階は、前記設定入力情報を設定する段階によって設定される設定入力情報に基づいて、前記第１のインジケーションバー（１３ｂ）を該第１のインジケーションバー（１３ｂ）の近傍に表示される前記タイムスタンプ（１２ｂ）及び前記インデックス情報（１２ａ）の少なくとも一方と連動させて表示することを特徴とする第５８の態様に従う通信端末の性能測定方法が提供される。
【００９６】  前記目的を達成するために、本発明の第７９の態様によると、
前記第２のインジケーションバー（１３ａ）を表示する段階は、前記設定入力情報を設定する段階によって設定される設定入力情報に基づいて、前記第２のインジケーションバー（１３ａ）を該第２のインジケーションバー（１３ａ）の近傍に表示される前記タイムスタンプ（１２ｂ）及び前記インデックス情報（１２ａ）の少なくとも一方と連動させて表示することを特徴とする第５８の態様に従う通信端末の性能測定方法が提供される。
【００９７】  前記目的を達成するために、本発明の第８０の態様によると、
前記設定入力情報を設定する段階は、前記表示器（５）の表示画面上に表示されているソフトキーからなる前記トレース情報の取得を開始する際に操作されるＳｔａｒｔキー（１１ａ）、前記トレース情報の取得を停止する際に操作されるＳｔｏｐキー（１１ｂ）、各種の設定の際に操作されるＯｐｔｉｏｎキー（１１ｃ）、前記トレース情報の中から目的のトレース情報を検索する際に操作されるＦｉｎｄキー（１１ｄ）、取得したトレース情報を保存する際に操作されるＳａｖｅキー（１１ｅ）及び保存されているトレース情報を読み出す際に操作されるＬｏａｄキー（１１ｆ）を含む複数の操作キー（１１）の少なくとも一つを用いることを特徴とする第４２の態様に従う通信端末の性能測定方法が提供される。
【００９８】  ここで、以上のような構成を有する本発明の各態様による通信端末の性能測定システム及び通信端末の性能測定方法についての作用効果が説明される。
【００９９】  従来技術では、トレース情報が多い場合、目的のトレース情報を見つけ出すのが困難であるのに対し、本発明の各態様による通信端末の性能測定システム及び通信端末の性能測定方法によれば、基本的には、オペレータが必要最小限の操作で直ちに目的のトレース情報を見つけ出すことができるようになる。
【０１００】  そして、本発明の第１の態様による通信端末の性能測定システム及び第４１の態様による通信端末の性能測定方法によれば、トレース情報に含まれる複数のログ情報を前記ログ情報の内容と種類に関する情報に基づいて前記所定のメッセージ情報の種類に応じて区分けして識別可能に前記複数のログ情報のそれぞれに付与されている前記時刻情報に基づいて時系列に並べたインジケーションバー（１３）を表示すると共に、前記トレース情報に含まれる前記複数のログ情報のうち、所定数のログ情報についての前記一連の試験信号及び前記一連の応答信号の流れを前記ログ情報の内容と種類に関する情報に基づいて前記所定数のログ情報のそれぞれに付与されている前記時刻情報によるタイムスタンプ（１２ｂ）を有するログシーケンス（１２）として前記インジケーションバー（１３）と関連付けて表示することにより、オペレータは複数のログ情報の中から目的とするログ情報を含む所定数のログ情報をそれぞれが取得された時間情報に基づいたタイムスタンプ（１２ｂ）を有するログシーケンス（１２）として認識するのが容易となる。
【０１０１】  また、本発明の第２の態様による通信端末の性能測定システム及び第４２の態様による通信端末の性能測定方法によれば、所定の設定入力情報を設定する設定入力情報設定部（２）を備えることにより、オペレータは所望の設定入力情報を設定することができると共に、設定入力情報に基づいて所望の選択を行うことができる。
【０１０２】  また、本発明の第３の態様による通信端末の性能測定システム及び第４３の態様による通信端末の性能測定方法によれば、インジケーションバー（１３）上の任意の位置を設定入力情報に基づいて選択可能とするタスクバー（１４）を表示することにより、オペレータはインジケーションバー（１３）により複数のログ情報の中から任意の範囲のログシーケンスを容易に選択して表示させることができる。
【０１０３】  また、本発明の第４態様による通信端末の性能測定システム及び第４４の態様による通信端末の性能測定方法によれば、取得された前記複数のログ情報を含むトレース情報を前記複数のログ情報に付与される前記時刻情報と共に記憶部（３ａ）に記憶する構成とすることにより、オペレータはリアルタイム及びオフタイムによる通信端末の性能測定を行うことができる。
【０１０４】  また、本発明の第５の態様による通信端末の性能測定システム及び第４５の態様による通信端末の性能測定方法によれば、前記複数のログ情報のそれぞれの通信システムの種別が識別可能なように前記インジケーションバー（１３）を表示することにより、オペレータ各通信システムの種別をインジケーションバー（１３）で識別することができる。
【０１０５】  また、本発明の第６の態様による通信端末の性能測定システム及び第４６の態様による通信端末の性能測定方法によれば、前記ログシーケンス表示部（４ｂ）は、少なくとも、前記トレース情報取得部（３）によって取得されたトレース情報に含まれる前記複数のログ情報のうち、所定数のログ情報について前記ログ情報の内容と種類に関する情報に基づいて、前記所定のメッセージ情報のプレーンの種別と通信の方向との少なくとも一方を含むトレース情報表示バー（１２ｄ）を表示することにより、オペレータはトレース情報表示バー（１２ｄ）によって示されるトレース情報の通信システムのプロトコルを構成するプレーンの種別と通信の方向とを識別することができる。
【０１０６】  また、本発明の第７の態様による通信端末の性能測定システム及び第４７の態様による通信端末の性能測定方法によれば、前記プレーンの種別には、前記一連の試験信号及び前記一連の応答信号に含まれる試験のための各種設定情報を示すコントロール（Ｃ）プレーンと、前記一連の試験信号及び前記一連の応答信号に含まれて通信されるユーザデータを示すユーザ（Ｕ）プレーンとの少なくとも一方が備えられていることにより、オペレータはＣプレーンまたはＵプレーンとを識別することができる。
【０１０７】  また、本発明の第８の態様による通信端末の性能測定システム及び第４８の態様による通信端末の性能測定方法によれば、前記トレース情報表示バー（１２ｄ）には、前記一連の試験信号及び前記一連の応答信号による通信試験のための前記通信端末試験用の計測器（２２）内部の設定情報を示すコンフィグ情報が含まれていることにより、オペレータはコンフィグ情報を識別することができる。
【０１０８】  また、本発明の第９の態様による通信端末の性能測定システム及び第４９の態様による通信端末の性能測定方法によれば、前記ログシーケンス表示部（４ｂ）は、前記トレース情報表示バー（１２ｄ）に対応させて前記複数のログ情報のうち、所定数のログ情報に関するそれぞれの通信システムの種別を示す通信システム表示バー（１２ｃ）及び前記所定数のログ情報のそれぞれに付与された前記時刻情報によるタイムスタンプ（１２ｂ）を表示することにより、オペレータは所定数のログ情報に関するそれぞれの通信システムの種別とそれぞれに付与された前記時刻情報によるタイムスタンプ（１２ｂ）を識別することができる。
【０１０９】  また、本発明の第１０の態様による通信端末の性能測定システム及び第５０の態様による通信端末の性能測定方法によれば、前記通信システム表示バー（１２ｃ）上に表示する前記通信システムの種別を前記設定入力情報設定部（２）によって設定される選択設定入力情報に基づいて選択可能に表示することにより、前記通信システムの種別を容易に識別することができる。
【０１１０】  また、本発明の第１１の態様による通信端末の性能測定システム及び第５１の態様による通信端末の性能測定方法によれば、前記通信システム表示バー（１２ｃ）を前記所定数のログ情報に関するそれぞれの通信システムの種別に対応させて色分け表示することにより、オペレータは前記通信システムの種別を容易に識別することができる。
【０１１１】  また、本発明の第１２の態様による通信端末の性能測定システム及び第５２の態様による通信端末の性能測定方法によれば、前記トレース情報表示バー（１２ｄ）を前記所定数のログ情報に関するそれぞれの前記所定のメッセージ情報のプレーンの種別に対応させて色分け表示することにより、オペレータは前記プレーンの種別を容易に識別することができる。
【０１１２】  また、本発明の第１３の態様による通信端末の性能測定システム及び第５３の態様による通信端末の性能測定方法によれば、前記通信システムの種別に対応させて色分け表示する際に、前記設定入力情報設定部（２）によって設定される色分け設定入力情報に基づいた色分け表示を可能とすることにより、オペレータは前記通信システムの種別を容易に識別することができる。
【０１１３】  また、本発明の第１４の態様による通信端末の性能測定システム及び第５４の態様による通信端末の性能測定方法によれば、前記所定のメッセージ情報のプレーンの種別に対応させて色分け表示する際に、前記設定入力情報設定部（２）によって設定される色分け設定入力情報に基づいた色分け表示を可能とすることにより、オペレータは前記所定のメッセージ情報のプレーンの種別を容易に識別することができる。
【０１１４】  また、本発明の第１５の態様による通信端末の性能測定システム及び第５５の態様による通信端末の性能測定方法によれば、前記プレーンの種別を前記プレーンの種別と通信の方向及び前記通信試験のための前記通信端末試験用の計測器（２２）内部の設定情報を示すコンフィグ情報を含むトレース情報表示バー（１２ｄ）上の任意の位置が前記設定入力情報設定部（２）によって選択されたとき、トレース情報表示バー（１２ｄ）上の任意の位置に対応するログ情報に関する詳細情報を表示することにより、オペレータは前記プレーンの種別とコンフィグ情報に関する詳細情報を容易に認識することができる。
【０１１５】  また、本発明の第１６の態様による通信端末の性能測定システム及び第５６の態様による通信端末の性能測定方法によれば、前記インジケーションバー（１３）を前記複数のログ情報を前記所定のメッセージ情報の種類に応じてそれぞれの種類毎に色分け表示することにより、オペレータは前記インジケーションバー（１３）上で前記複数のログ情報の前記所定のメッセージ情報の種類を容易に識別することができる。
【０１１６】  また、本発明の第１７の態様による通信端末の性能測定システム及び第５７の態様による通信端末の性能測定方法によれば、前記ログシーケンス表示部（４ｂ）は、前記所定数のログ情報が取得されたそれぞれの順番を示すインデックス情報（１２ａ）を表示することにより、オペレータは前記所定数のログ情報が取得されたそれぞれの順番を容易に識別することができる。
【０１１７】  この場合、インデックス情報（１２ａ）は、取得されたそれぞれのシーケンスに対して所定の間隔で付けたり、複数の通信システムの切り替わり時に付ける等適宜表示するようにしてもよい。
【０１１８】  また、本発明の第１８の態様による通信端末の性能測定システム及び第５８の態様による通信端末の性能測定方法によれば、前記インジケーションバー表示部（４ａ）は、第１のインジケーションバー（１３ｂ）によって前記所定数のログ情報を識別可能に表示すると共に、前記第１のインジケーションバー（１３ｂ）では表示しきれないログ情報がある場合に、前記ログ情報の内容と種類に関する情報に基づいて前記所定のメッセージ情報の種類に応じて区分けして識別可能に前記所定数のログ情報のそれぞれに付与された前記時刻情報に基づいて時系列に並べた第１のインジケーションバー（１３ｂ）として表示すると共に、前記第１のインジケーションバー（１３ｂ）では表示しきれないログ情報がある場合に、第２のインジケーションバー（１３ａ）によって前記複数のログ情報の全てを識別可能とすることなく実質的に圧縮された状態で表示する構成とすることにより、オペレータは第１のインジケーションバー（１３ｂ）によって前記所定数のログ情報のそれぞれを前記所定のメッセージ情報の種類に応じて区分けして識別することができると共に、前記第１のインジケーションバー（１３ｂ）では表示しきれないログ情報がある場合に、第２のインジケーションバー（１３ａ）によって前記複数のログ情報の全てを認識することができる。
【０１１９】  また、本発明の第１９の態様による通信端末の性能測定システム及び第５９の態様による通信端末の性能測定方法によれば、前記設定入力情報設定部（２）によって設定される選択設定入力情報に基づいて前記第２のインジケーションバー（１３ａ）上の任意の位置が選択された場合に、当該任意の位置のログ情報を含む所定範囲のログ情報を前記第１のインジケーションバー表示部（４ａ１）によって表示される前記第１のインジケーションバー（１３ｂ）上に拡大して表示させることにより、オペレータは目的のログ情報を素早く識別することができる。
【０１２０】  また、本発明の第２０の態様による通信端末の性能測定システム及び第６０の態様による通信端末の性能測定方法によれば、前記インジケーションバー表示部（４ａ）は、前記所定数のログ情報を前記ログ情報の内容と種類に関する情報に基づいて前記通信システムの種別に対応して複数のバーに分けて識別可能に且つ前記複数のバーのそれぞれのバー毎に前記所定のメッセージ情報の種類に応じて区分けして識別可能に前記所定数のログ情報のそれぞれに付与された前記時刻情報に基づいて時系列に並べた複数のインジケーションバー（１３ｂＡ，１３ｂＢ）によって表示することにより、オペレータは前記所定数のログ情報を前記所定のメッセージ情報の種類に応じて区分けして識別することができるとともに、前記通信システムの種別を容易に識別することができると共に、通信端末、例えば、携帯電話から送信された情報または試験用の計測器から送信した情報のみに着目したログシーケンスを表示させることができると共に、さらに、例えば、通信システムの種別が異なるプロトコルによる携帯電話との通信に対しても識別可能なように表示させることもできる。
【０１２１】  本発明の第２１の態様による通信端末の性能測定システム及び第６１の態様による通信端末の性能測定方法によれば、前記インジケーションバー表示部（４ａ）は、前記所定数のログ情報を前記ログ情報の内容と種類に関する情報に基づいて通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた２つのインジケーションバー（１３ｂＣ，１３ｂＤ）として表示することにより、オペレータは前記所定数のログ情報を前記所定のメッセージ情報の種類に応じて区分けして識別することができると共に、それらの通信の方向の上り、下りを容易に識別することができる。
【０１２２】  本発明の第２２の態様による通信端末の性能測定システム及び第６２の態様による通信端末の性能測定方法によれば、前記インジケーションバー表示部（４ａ）は、前記所定数のログ情報を前記ログ情報の内容と種類に関する情報に基づいて前記通信システムの種別に対応して複数のバーに分けて識別可能に且つ通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた複数のインジケーションバー（１３ｂＡ，１３ｂＢ，１３ｂＣ，１３ｂＤ）として表示することにより、オペレータは前記所定数のログ情報を前記所定のメッセージ情報の種類に応じて区分けして識別することができると共に、それらの通信システムの種別及び通信の方向の上り、下りを容易に識別することができる。
【０１２３】  本発明の第２３の態様による通信端末の性能測定システム及び第６３の態様による通信端末の性能測定方法によれば、前記インジケーションバー表示部（４ａ）は、前記設定入力情報設定部（２）によって設定される設定入力情報に基づいて、任意のログ情報の検索が選択された場合に、前記第１のインジケーションバー（１３ｂ）の表示に対応するログ情報から当該任意のログ情報を検索を指示すると共に、前記検索によって見つけ出されたログ情報の前記第１のインジケーションバー（１３ｂ）上での位置する箇所を前記第１のインジケーションバー（１３ｂ）に識別可能に表示することにより、オペレータは目的のログ情報を容易に識別することができる。
【０１２４】  本発明の第２４の態様による通信端末の性能測定システム及び第６４の態様による通信端末の性能測定方法によれば、前記検索によって見つけ出されたログ情報の位置する前記第１のインジケーションバー（１３ｂ）の該当箇所を点滅表示することにより、オペレータは目的のログ情報を容易に識別することができる。
【０１２５】  本発明の第２５の態様による通信端末の性能測定システム及び第６５の態様による通信端末の性能測定方法によれば、前記ログシーケンス表示部（４ｂ）は、前記ログシーケンス（１２）として、前記検索によって複数のログ情報が見つけ出されたとき、当該複数のログ情報のうち最初のログ情報の位置する箇所のログシーケンス（１２）を表示することにより、オペレータは目的のログシーケンス（１２）を容易に識別することができる。
【０１２６】  本発明の第２６の態様による通信端末の性能測定システム及び第６６の態様による通信端末の性能測定方法によれば、前記設定入力情報設定部（２）によって設定される設定入力情報による検索条件に基づいて、任意のログ情報の検索が選択された場合に、前記第２のインジケーションバー（１３ａ）の表示に対応するログ情報から当該任意のログ情報の検索が開始され、前記検索によって見つけ出されたログ情報の位置する箇所を前記第２のインジケーションバー（１３ａ）に識別可能に表示すると共に、前記設定入力情報設定部（２）によって設定される設定入力情報に基づいて、前記第２のインジケーションバー（１３ａ）上で識別可能に表示されている箇所が選択された場合に、前記第１のインジケーションバー（１３ｂ）上に前記検索条件と一致する該当箇所を識別可能に表示することにより、オペレータは目的のログ情報を素早く検索することができる。
【０１２７】  本発明の第２７の態様による通信端末の性能測定システム及び第６７の態様による通信端末の性能測定方法によれば、前記検索によって見つけ出されたログ情報の位置する前記第２のインジケーションバー（１３ａ）の該当箇所を点滅表示すると共に、前記検索によって見つけ出されたログ情報の位置する前記第１のインジケーションバー（１３ｂ）上の該当箇所を点滅表示することにより、オペレータは検索結果をより明確に識別することができるので、目的のログ情報が存在する箇所を容易に識別することができる。
【０１２８】  本発明の第２８の態様による通信端末の性能測定システム及び第６８の態様による通信端末の性能測定方法によれば、前記ログシーケンス表示部（４ｂ）は、前記ログシーケンス（１２）として、前記検索によって複数のログ情報が見つけ出されたとき、当該複数のログ情報のうち最初のログ情報の位置する箇所のログシーケンス（１２）を表示することにより、オペレータは複数の操作を行うことなしに素早く該当するログシーケンスを確認することができる。
【０１２９】  この場合、オペレータが表示画面上でマウスによるクリックやキー操作により検索に該当したログ情報の次の箇所の表示に移行させることができるようにしてもよい。
【０１３０】  さらに、オペレータがログシーケンス表示上で検索に該当したログ情報の表示位置を表示画面の先頭または中央または末尾のいずれかに表示させることによって、前後のログシーケンスを確認することができるようにしてもよい。
【０１３１】  本発明の第２９の態様による通信端末の性能測定システム及び第６９の態様による通信端末の性能測定方法によれば、前記インジケーションバー表示部（４ａ）は、前記設定入力情報設定部（２）によって設定される設定入力情報に基づいて、予め、検索を目的とするトレース情報の条件としてのトリガー情報を内部的に設定可能とすると共に、前記トレース情報取得部（３）から、予め設定された前記トリガー情報に一致したトレース情報が得られたときに、前記第１のインジケーションバー（１３ｂ）上の該当箇所の位置を識別可能に表示することにより、オペレータは任意のトリガー情報と条件が一致するログ情報をより明確に識別することができるので、目的のログ情報が存在する箇所を容易に識別することができる。
【０１３２】  この場合、ログシーケンス表示上で任意のトリガー情報と条件が一致するログ情報の表示位置を表示画面の先頭または中央または末尾のいずれかに表示することにより、オペレータが前後のログシーケンスを確認することができるようにしてもよい。
【０１３３】  本発明の第３０の態様による通信端末の性能測定システム及び第７０の態様による通信端末の性能測定方法によれば、前記インジケーションバー表示部（４ａ）は、前記トレース情報取得部（３）から、予め設定された前記トリガー情報と一致するトレース情報が得られたときに、前記第１のインジケーションバー（１３ｂ）上の該当箇所の位置を点滅表示することにより、オペレータは目的のログ情報が存在する箇所を容易に識別することができる。
【０１３４】  本発明の第３１の態様による通信端末の性能測定システム及び第７１の態様による通信端末の性能測定方法によれば、前記ログシーケンス表示部（４ｂ）は、前記ログシーケンス（１２）として、前記トレース情報取得部（３）から、予め設定された前記トリガー情報と一致するトレース情報が得られたときに、当該トレース情報に含まれるログ情報のログシーケンス（１２）を表示することにより、オペレータは目的のログシーケンス（１２）を容易に識別することができる。
【０１３５】  本発明の第３２の態様による通信端末の性能測定システム及び第７２の態様による通信端末の性能測定方法によれば、前記ログシーケンス表示部（４ｂ）は、前記ログシーケンス（１２）として、前記トレース情報に含まれる複数のログ情報が無通信状態時のログ情報を含むとき、当該無通信状態時のログ情報のレコードを省いて前記ログ情報のログシーケンス（１２）を表示することにより、無通信状態が継続して続く場合に、ログシーケンスが無通信状態のログを表示し続けないようにすることができるため、実際の通信状態のログ情報を集中して表示することができると共に、オペレータは各ログ情報のタイムスタンプの間隔により無通信状態の時間を判別することができる。
【０１３６】  本発明の第３３の態様による通信端末の性能測定システム及び第７３の態様による通信端末の性能測定方法によれば、前記タスクバー表示部（４ｃ）は、前記設定入力情報設定部（２）によって設定される選択設定入力情報に基づいて、前記インジケーションバー表示部（４ａ）によって表示されるインジケーションバー（１３）の近傍に、前記ログシーケンス表示部（４ｂ）によって現在の時点で表示されている前記ログシーケンス（１２）の範囲を示すタスクバー（１４）を表示することにより、現在表示されているログシーケンスの範囲が、インジケーションバー（１３）上のどの範囲を示しているかをオペレータが識別可能なようにタスクバー（１４）を表示することができるため、オペレータはインジケーションバー（１３）上で示されている複数のログ情報のうち、表示しているログ情報がどの程度を占めているかを視覚的に認識することができると共に、タスクバー（１４）を移動させることによって連動してログシーケンス表示が行われる範囲を変更させることができる。
【０１３７】  本発明の第３４の態様による通信端末の性能測定システム及び第７４の態様による通信端末の性能測定方法によれば、前記タスクバー表示部（４ｃ）は、前記設定入力情報設定部（２）によって設定される選択設定入力情報に基づいて、前記インジケーションバー表示部（４ａ）によって表示されるインジケーションバー（１３）の近傍に、前記ログシーケンス表示部（４ｂ）によって現在の時点で表示されている前記ログシーケンス（１２）の先頭をポイントで示すタスクバー（１４）を表示することにより、インジケーションバー（１４）上の任意の場所を選択して対応するログ情報を表示することができるため、オペレータは複数の操作を行うことなしにより多くのログ情報を確認することができる。
【０１３８】  本発明の第３５の態様による通信端末の性能測定システム及び第７５の態様による通信端末の性能測定方法によれば、前記複数のログ情報において、前記所定のメッセージ情報の種類が同一で且つ前記通信システムの種別が同一であるログ情報が連続する場合に、前記第１のインジケーションバー（１３ｂ）上で当該連続したログ情報を一つのログ情報に対応する長さを圧縮して表示することにより、インジケーションバー（１４）上でより多くのログ情報を表示することができるため、オペレータは複数の操作を行うことなしに、より多くのログ情報を確認することができる。
【０１３９】  本発明の第３６の態様による通信端末の性能測定システム及び第７６の態様による通信端末の性能測定方法によれば、前記複数のログ情報が無通信状態時のログ情報を含むとき、当該無通信状態時のログ情報のレコードを含めて全体のログ情報を前記第１のインジケーションバー（１３ｂ）上に表示することにより、オペレータはインジケーションバー（１３）上で全体のログ情報の実レコード量を見ることができる。
【０１４０】  また、本発明の第３７の態様による通信端末の性能測定システム及び第７７の態様による通信端末の性能測定方法によれば、前記第２のインジケーションバー（１３ａ）を、前記第１のインジケーションバー（１３ｂ）上で表示可能な範囲毎に複数の範囲に区切って表示することにより、第１のインジケーションバー（１３ｂ）の範囲毎に切り換え表示することができるため、オペレータはログ情報の表示を末尾まで素早く移動させて確認することができる。
【０１４１】  また、本発明の第３８の態様による通信端末の性能測定システム及び第７８の態様による通信端末の性能測定方法によれば、前記設定入力情報設定部（２）によって設定される設定入力情報に基づいて、前記第１のインジケーションバー（１３ｂ）を該第１のインジケーションバー（１３ｂ）の近傍に表示される前記タイムスタンプ（１２ｂ）及び前記インデックス情報（１２ａ）の少なくとも一方と連動させて表示することにより、オペレータは第１のインジケーションバー（１３ｂ）上のログ情報を前記タイムスタンプ（１２ｂ）及び前記インデックス情報（１２ａ）との関連において識別することができる。
【０１４２】  また、本発明の第３９の態様による通信端末の性能測定システム及び第７９の態様による通信端末の性能測定方法によれば、前記設定入力情報設定部（２）によって設定される設定入力情報に基づいて、前記第２のインジケーションバー（１３ａ）を該第２のインジケーションバー（１３ａ）の近傍に表示される前記タイムスタンプ（１２ｂ）及び前記インデックス情報（１２ａ）の少なくとも一方と連動させて表示することにより、オペレータは第２のインジケーションバー（１３ａ）上のログ情報を前記タイムスタンプ（１２ｂ）及び前記インデックス情報（１２ａ）との関連において識別することができる。
【０１４３】  また、本発明の第４０の態様による通信端末の性能測定システム及び第８０の態様による通信端末の性能測定方法によれば、前記設定入力情報設定部（２）は、前記表示器（５）の表示画面上に表示されているソフトキーからなるＳｔａｒｔキー（１１ａ）、Ｓｔｏｐキー（１１ｂ）、Ｏｐｔｉｏｎキー（１１ｃ）、Ｆｉｎｄキー（１１ｄ）、Ｓａｖｅキー（１１ｅ）及びＬｏａｄキー（１１ｆ）を含む複数の操作キー（１１）を有していることにより、オペレータによる各種の操作や設定が容易となる。
【図面の簡単な説明】
【０１４４】［図１］図１は、本発明に係る通信端末の性能測定システムの一実施形態の基本的な概略構成を示すブロック図である。
［図２］図２は、本発明に係る通信端末の性能測定システムの一実施形態の詳細な構成を示す機能ブロック図である。
［図３］図３は、本発明に係る通信端末の性能測定システムの基本的な表示画面の構成を例示する図である。
［図４］図４は、本発明に係る通信端末の性能測定システムのトレース取得開始前の表示画面を例示する図である。
［図５］図５は、本発明に係る通信端末の性能測定システムのトレース取得開始直後の表示画面を例示する図である。
［図６］図６は、本発明に係る通信端末の性能測定システムのトレース取得終了直後の表示画面を例示する図である。
［図７］図７は、本発明に係る通信端末の性能測定システムのタスクバーを任意の位置までドラッグした場合の表示画面を例示する図である。
［図８］図８は、本発明に係る通信端末の性能測定システムの第１のインジケーションバーの任意の位置を選択した直後の表示画面を例示する図である。
［図９］図９は、本発明に係る通信端末の性能測定システムの操作キーのオプションキーを押して、さらに第１のインジケーションバー設定を選択した場合の表示画面を例示する図である。
［図１０］図１０は、本発明に係る通信端末の性能測定システムの第１のインジケーションバーを複数の通信システムに対応させて分割する場合の表示画面を例示する図である。
［図１１］図１１は、本発明に係る通信端末の性能測定システムの第１のインジケーションバーを通信方向の上りと下りとで２分割する場合の表示画面を例示する図である。
［図１２］図１２は、本発明に係る通信端末の性能測定システムの第１のインジケーションバーを通信方向の上りと下りとで２分割すると共に、複数の通信システムに対応させてさらに分割する場合の表示画面を例示する図である。
［図１３］図１３は、本発明に係る通信端末の性能測定システムのＵプレーン及び無線通信１０ラインで１ピクセルとなるように第１のインジケーションバーを設定した場合の表示画面を例示する図である。
［図１４］図１４は、本発明に係る通信端末の性能測定システムの第１のインジケーションバーをログ取得時間に連動するように設定した場合の表示画面を例示する図である。
［図１５］図１５は、本発明に係る通信端末の性能測定システムの操作キーのオプションキーを押して、さらに通信システムの設定を選択した場合の表示画面を例示する図である。
［図１６］図１６は、本発明に係る通信端末の性能測定システムのトレースする通信システムをＷ−ＣＤＭＡのみにした場合の表示画面を例示する図である。
［図１７］図１７は、本発明に係る通信端末の性能測定システムの操作キーのオプションキーを押して、さらに色の配置換えを選択した場合の表示画面を例示する図である。
［図１８］図１８は、本発明に係る通信端末の性能測定システムの色の配置を換えた場合の表示画面を例示する図である。
［図１９］図１９は、本発明に係る通信端末の性能測定システムの操作キーのオプションキーを押して、さらにタスクバー設定を選択した場合の表示画面を例示する図である。
［図２０］図２０は、本発明に係る通信端末の性能測定システムのタスクバーに画面バーを設定した場合の表示画面を例示する図である。
［図２１］図２１は、本発明に係る通信端末の性能測定システムの操作キーのファインドキーで目的とするトレース情報を指定する場合と、トリガーキーで予め目的とするトレース情報を設定しておき、該当するログにヒットしたときの表示画面を例示する図である。
［図２２］図２２は、本発明に係る通信端末の性能測定システムの基本的な操作の流れを示すフローチャートである。
［図２３］図２３は、本発明に係る通信端末の性能測定システムのタスクバーで目的のログを見つけるときの操作の流れを示すフローチャートである。
［図２４］図２４は、本発明に係る通信端末の性能測定システムにおいてデータをロードしてから目的のログを見つけるときの操作の流れを示すフローチャートである。
［図２５］図２５は、本発明に係る通信端末の性能測定システムにおいて目的のログを見つけるときの検索条件を設定するための表示画面を例示する図である。
［図２６］図２６は、従来の通信端末の性能測定システムの概略構成図である。
［図２７］図２７は、特許文献１に開示される従来の通信端末の性能測定装置によるトレース情報の表示例を示す図である。
【発明を実施するための最良の形態】
【０１４５】  以下、本発明による通信端末の性能測定システムの好適な実施の形態が図１乃至図２５を参照しながら説明される。【０１４６】  図１は本発明に係る通信端末の性能測定システムの一実施の形態による基本的な概略構成を示すブロック図であり、図２は図１の詳細な機能ブロック図である。【０１４７】  図３乃至図２１及び図２５は本発明に係る通信端末の性能測定システムの表示画面の各表示例を示す図である。【０１４８】  図２２乃至図２４は本発明に係る通信端末の性能測定システムにおける操作の流れを示すフローチャートである。【０１４９】  本発明の一実施の形態による通信端末の性能測定システム１は、製品として開発中の通信端末の性能評価試験にあたって、互いに異なる通信プロトコル種別を有する複数の通信システム、具体的にはＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続方式）やＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ：ディジタル携帯電話システム方式）で携帯電話等の被評価用の通信端末と通信試験した際に得られるトレース情報の表示を様々な形態で行うものである。【０１５０】  すなわち、図１に示すように、本発明による通信端末の性能測定システム１は、基本的には、被評価用の通信端末２１の接続状態における通信システムの種別に対応した所定の性能測定用の一連の手順を保有し、その手順に沿った通信試験を行うための内部設定情報であるＣｏｎｆｉｇ情報と、所定のメッセージ情報とを含む一連の試験信号を前記被評価用の通信端末２１に送信し、該被評価用の通信端末２１から前記所定の性能測定用の一連の試験信号に対応した所定のメッセージ情報を含む一連の応答信号を受信する通信端末試験用の計測器２２と、前記通信端末試験用の計測器２２によって送信された前記一連の試験信号及び前記試験用の計測器２２によって受信された前記一連の応答信号のそれぞれの前記所定のメッセージ情報に基づいたログ情報の内容と種類に関する情報を有する複数のログ情報を含むトレース情報を取得すると共に、前記トレース情報に含まれる複数のログ情報に前記所定のメッセージ情報のそれぞれが取得された時刻を表す時刻情報を付与するトレース情報取得部３と、前記トレース情報取得部３によって取得された前記複数のログ情報を含むトレース情報を所定の形態で表示器５に表示するトレース情報表示処理制御部４と、前記トレース情報取得部３及び前記トレース情報表示処理制御部４に対して所定の設定入力情報を設定する設定入力情報設定部２とを有している。【０１５１】  また前記トレース情報表示処理制御部４は、前記トレース情報取得部３によって取得されたトレース情報に含まれる前記複数のログ情報を前記ログ情報の内容と種類に関する情報に基づいて前記所定のメッセージ情報の種類に応じて区分けして識別可能に前記複数のログ情報のそれぞれに付与されている前記時刻情報に基づいて時系列に並べたインジケーションバー１３を表示するインジケーションバー表示部４ａと、前記トレース情報取得部３によって取得された前記トレース情報に含まれる前記複数のログ情報のうち、所定数のログ情報につ��ての前記一連の試験信号及び前記一連の応答信号の流れを前記ログ情報の内容と種類に関する情報に基づいて前記所定数のログ情報のそれぞれに付与されている前記時刻情報によるタイムスタンプ１２ｂを有するログシーケンス１２として前記インジケーションバー１３と関連付けて表示するログシーケンス表示部４ｂとを備えている。【０１５２】  前記トレース情報表示処理制御部４は、好ましくは、前記トレース情報取得部３及び前記トレース情報表示処理制御部４の少なくとも一方に対して所定の設定入力情報を設定する設定入力情報設定部２をさらに備えている。【０１５３】  前記トレース情報表示処理制御部４は、好ましくは、前記インジケーションバー表示部４ａによって表示される前記インジケーションバー１３上の任意の位置を前記設定入力情報設定部２によって設定される前記設定入力情報に基づいて選択可能とする後述する図３に示すようなタスクバー１４を表示するタスクバー表示部４ｃをさらに備えている。【０１５４】  前記トレース情報取得部３は、好ましくは、該トレース情報取得部３によって取得される前記複数のログ情報を含むトレース情報を該トレース情報取得部３によって前記複数のログ情報に付与される前記時刻情報と共に記憶する記憶部３ａを含んでいる。【０１５５】  前記ログシーケンス表示部４ｂは、好ましくは、前記トレース情報取得部３によって取得されたトレース情報に含まれる前記複数のログ情報のうち、所定数のログ情報について前記ログ情報の内容と種類に関する情報に基づいて、前記所定のメッセージ情報のプレーンの種別と通信の方向との少なくとも一方を含むトレース情報表示バー１２ｄを後述する図３に示すように表示するトレース情報表示バー表示部４ｂ３を備えている。【０１５６】  また、前記ログシーケンス表示部４ｂは、好ましくは、前記トレース情報取得部３によって取得されたトレース情報に含まれる前記複数のログ情報のうち、所定数のログ情報に関するそれぞれの通信システムの種別を示す通信システム表示バー１２ｃを後述する図３に示すように前記ログ情報の内容と種類に関する情報に基づいて、前記トレース情報表示バー表示部４ｂ３によって表示される前記トレース情報表示バー１２ｄに対応させて表示する通信システム表示バー表示部４ｂ２と、前記トレース情報表示バー表示部４ｂ３によって表示される前記トレース情報表示バー１２及び前記通信システム表示バー表示部４ｂ２によって表示される前記通信システム表示バー１２ｃに対応させて前記所定数のログ情報のそれぞれに付与された前記時刻情報によるタイムスタンプ１２ｂを後述する図３に示すように表示するタイムスタンプ表示部４ｂ１とをさらに備えている。【０１５７】  また、前記ログシーケンス表示部４ｂは、好ましくは、前記トレース情報取得部３によって取得されたトレース情報に含まれる前記複数のログ情報のうち、所定数のログ情報が取得されたそれぞれの順番を示す後述する図３に示すようなインデックス情報１２ａを前記トレース情報表示バー表示部４ｂ３によって表示される前記トレース情報表示バー１２ｄ及び前記通信システム表示バー表示部４ｂ２によって表示される前記通信システム表示バー１２ｃに対応させてタイムスタンプ��２ｂと共に表示するインデックス情報表示部４ｂ４をさらに備えている。【０１５８】  また、前記インジケーションバー表示部４ａは、好ましくは、前記トレース情報取得部３によって取得されたトレース情報に含まれる前記複数のログ情報のうち、所定数のログ情報を前記ログ情報の内容と種類に関する情報に基づいて前記所定のメッセージ情報の種類に応じて区分けして識別可能に前記所定数のログ情報のそれぞれに付与された前記時刻情報に基づいて時系列に並べた後述する図２０に示すような第１のインジケーションバー１３ｂとして表示する第１のインジケーションバー表示部４ａ１と、前記第１のインジケーションバー表示部４ａ１によって表示される前記第１のインジケーションバー１３ｂでは表示しきれないログ情報がある場合に、前記トレース情報取得部３によって取得されたトレース情報に含まれる前記複数のログ情報の全てを前記ログ情報の内容と種類に関する情報に基づいて前記所定のメッセージ情報の種類に応じて区分けして識別可能とすることなく実質的に圧縮された状態でそれぞれに付与された前記時刻情報に基づいて時系列に並べた後述する図２０に示すような第２のインジケーションバー１３ａとして前記第１のインジケーションバー１３ｂに対応させて表示する第２のインジケーションバー表示部４ａ２とを備えている。【０１５９】  また、前記インジケーションバー表示部４ａは、好ましくは、前記インジケーションバー表示部４ａは、前記第２のインジケーションバー表示部４ａ２によって表示された前記第２のインジケーションバー１３ａ上の任意の位置を前記設定入力情報設定部２によって設定される選択設定入力情報に基づいて選択可能に表示すると共に、前記設定入力情報設定部２によって設定される選択設定入力情報に基づいて前記第２のインジケーションバー１３ａ上の任意の位置が選択された場合に、当該任意の位置のログ情報を含む所定範囲のログ情報を前記第１のインジケーションバー表示部４ａ１によって表示される前記第１のインジケーションバー１３ｂ上に拡大して表示させる。【０１６０】  また、前記インジケーションバー表示部４ａは、好ましくは、前記設定入力情報設定部２によって設定される設定入力情報に基づいて、前記トレース情報取得部３によって取得されたトレース情報に含まれる前記複数のログ情報のうち、所定数のログ情報を前記ログ情報の内容と種類に関する情報に基づいて前記通信システムの種別に対応して複数のバーに分けて識別可能に且つ前記複数のバーのそれぞれのバー毎に前記所定のメッセージ情報の種類に応じて区分けして識別可能に前記所定数のログ情報のそれぞれに付与された前記時刻情報に基づいて時系列に並べた後述する図１０に示すような複数のインジケーションバー１３ｂＡ，１３ｂＢとして表示する複数のインジケーションバー表示部４ａ３を備えている。【０１６１】  また、前記インジケーションバー表示部４ａは、好ましくは、前記設定入力情報設定部２によって設定される設定入力情報に基づいて、前記トレース情報取得部３によって取得されたトレース情報に含まれる前記複数のログ情報のうち、所定数のログ情報を前記ログ情報の内容と種類に関する情報に基づいて前記通信システムの種別に対応して複数のバーに分けて識別可能に且つ通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた後述する図１２に示すような複数のインジケーションバー１３ｂＡ，１３ｂＢ，１３ｂＣ，１３ｂＤとして表示する複数のインジケーションバー表示部４ａ３を備えている。【０１６２】  さらに、また、前記インジケーションバー表示部４ａは、好ましくは、前記設定入力情報設定部２によって設定される設定入力情報に基づいて、前記トレース情報取得部３によって取得されたトレース情報に含まれる前記複数のログ情報のうち、所定数のログ情報を前記ログ情報の内容と種類に関する情報に基づいて通信の方向の上り、下りの２つのバーに分けて識別可能に且つ前記２つのバーのそれぞれのバー毎に前記所定のメッセージ情報の種類に応じて区分けして識別可能に前記所定数のログ情報のそれぞれに付与された前記時刻情報に基づいて時系列に並べた後述する図１１に示すような２つのインジケーションバー１３ｂＣ，１３ｂＤとして表示する２つのインジケーションバー表示部４ａ４を備えている。【０１６３】  なお、以上において、トレース情報表示処理制御部４内に備えられているとしたインジケーションバー表示部４ａ、ログシーケンス表示部４ｂ及びタスクバー表示部４ｃは、後述する図２におけるトレース情報表示処理制御部４の表示制御部４Ｆ内にソフトウェア的に実現される構成として備えられているものとする。【０１６４】  また、図２におけるトレース情報表示処理制御部４の該当箇所検出部４Ａ、抽出部４Ｂ、識別部４Ｃ、３つの編集部４Ｄ、位置生成部４Ｅもソフトウェア的に実現される構成である。【０１６５】  そして、本実施の形態による通信端末の性能測定システム１は、図１及び図２に示すように、被評価用の通信端末２１と接続される通信端末試験用の計測器２２と、この通信端末試験用の計測器２２と接続されるトレース情報取得部３と、このトレース情報取得部３と接続されるトレース情報表示処理制御部４と、これらトレース情報取得部３とトレース情報表示処理制御部４とに接続される設定入力情報設定部２と、前記トレース情報表示処理制御部４と接続される表示器５とを備えて概略構成されている。【０１６６】  ここで、通信端末試験用の計測器２２は、基本的には、被評価用の通信端末２１の接続状態における複数の通信システムに対応した所定の性能測定用の一連の手順を保有し、その手順に沿った通信試験を行うための内部設定（Ｃｏｎｆｉｇ）情報及び所定のメッセージ情報を含む一連の試験信号を前記被評価用の通信端末２１に送信し、該被評価用の通信端末２１から前記所定の性能測定用の一連の試験信号に対応した所定のメッセージ情報を含む一連の応答信号を受信するものであればよく、図２６に示した従来の通信端末試験用の計測器２２または上記特許文献１に開示されている試験装置等、特には、非特許文献１に開示されているシグナリングテスタを使用することができる。
［非特許文献１］アンリツ株式会社製シグナリングテスタ「ＭＤ８４７０Ａ」（カタログＮｏ．ＭＤ８４７０Ａ−Ｅ−Ａ−１−（１．００）プリンテッド  イン  ジャパン  ２００４．７  Ｗ／ＣＤＴ）
また、上記概略構成のうち、設定入力情報設定部２と、トレース情報取得部３と、表示処理制御部４と、表示器５とは、具体的には、例えば、パーソナルコンピュータ等に搭載されて実現されていても良いし、通信端末試験用の計測器２２の内部に構成して実現されていても良い。【０１６７】  従って、設定入力情報設定部２には、マウスやキーボードなどの入力装置（図示せず）が付帯されているものとする。【０１６８】  そして、設定入力情報設定部２は、具体的には、その一つの要素として、後述する図３に示すように、表示器５の表示画面（図３乃至図２１において、画面１と表記されている通常表示用の画面、以下画面１と併記する）の上端部に表示されている複数の操作キー１１を有している。【０１６９】  図３において、複数の操作キー１１は、操作キー表示部（図示せず）によって表示器５の表示画面（画面１）に、横一列に配置されて表示されているソフトキーからなるスタート（Ｓｔａｒｔ）キー１１ａ、ストップ（Ｓｔｏｐ）キー１１ｂ、オプション（Ｏｐｔｉｏｎ）キー１１ｃ、ファインド（Ｆｉｎｄ）キー１１ｄ、セーブ（Ｓａｖｅ）キー１１ｅ及びロード（Ｌｏａｄ）キー１１ｆで構成される。【０１７０】  Ｓｔａｒｔキー１１ａは、後述するように、トレース情報の取得を開始する際に、オペレータによって操作される。【０１７１】  Ｓｔｏｐキー１１ｂは、後述するように、トレース情報の取得を停止する際に、オペレータによって操作される。【０１７２】  Ｏｐｔｉｏｎキー１１ｃは、後述するように、インジケーションバー１３の設定、取得するトレース情報から表示する通信システムの種別の設定、表示する各通信システムの色の配置の設定、タスクバー１４の設定、検索条件の設定、トリガキーの設定等を行う際に、オペレータによって操作される。【０１７３】  Ｆｉｎｄキー１１ｄは、後述するように、トレース情報の中から目的のトレース情報を検索する際に操作される。【０１７４】  Ｓａｖｅキー１１ｅは、後述するように、取得したトレース情報を別のファイルとしてトレース情報取得部３の記憶部３ａに保存する際に、オペレータによって操作される。【０１７５】  Ｌｏａｄキー１１ｆは、後述するように、予め、取得してトレース情報取得部３の記憶部３ａにログファイルとして保存されているトレース情報を読み出す際に、オペレータによって操作される。【０１７６】  これらの複数の操作キー１１は、それぞれ、トレース情報表示処理制御部４の表示制御部４Ｆにそれらの操作情報を出力する。【０１７７】  設定入力情報設定部２は、上記操作キー１１の以外の要素として、図２に示すように、選択部２ａ、通信システム切替部（ＧＳＭ／Ｗ−ＣＤＭＡ切替部）２ｂ、位置切替部（上／下切替部）２ｃ、検索条件設定部２ｄ、トリガーキー設定部２ｅを備えている。【０１７８】  ここで、選択部２ａは、後述するように、表示器５に表示される表示画面（画面１）内のポインタ（不図示）を、オペレータが、例えば、パーソナルコンピュータ等に付帯されているマウスやキーボードなどで移動させることによって、表示画面内のログシーケンス１２やインジケーションバー１３やタスクバー１４上の任意の位置を選択するのに応じて、そのときの選択位置情報を後述するトレース情報表示処理制御部４の表示制御部４Ｆに出力する。【０１７９】  通信システム切替部２ｂは、前述したＯｐｔｉｏｎキー１１ｃの操作によって取得したトレース情報から表示する通信システム種別の設定時において、オペレータが、後述するように、取得したトレース情報から表示する通信システムのプロトコル種別（通信システム種別）であるＷ−ＣＤＭＡ（図示ではＷと略記）とＧＳＭ（図示ではＧと略記）の切り替えを行うのに用いられ、そのときの切替情報を後述する表示処理制御部４の抽出部４Ｂに出力する。【０１８０】  位置切替部２ｃは、後述するように、表示器５に表示される表示画面（画面１）内のポインタ（不図示）を、オペレータが、例えば、マウスやキーボードなどで移動させることによって表示器５の表示画面（画面１）にインジケーションバー１３と共に表示されるタスクバー１４を上下にスクロール（あるいはドラッグ）したときに、そのスクロール（あるいはドラッグ）に伴う移動量を示す位置切替情報を後述する表示処理制御部４の抽出部４Ｂに出力する。【０１８１】  検索条件設定部２ｄは、前述したＯｐｔｉｏｎキー１１ｃの操作によって取得されたトレース情報から検索するための検索条件の設定の設定時において、オペレータが、後述するように、所定の検索条件の設定を行うのに用いられ、そのときの検索条件を後述する表示処理制御部４の該当箇所検出部４Ａに出力する。【０１８２】  トリガーキー設定部２ｅは、前述したＯｐｔｉｏｎキー１１ｃの操作によって取得中のトレース情報を随時トリガーキーに基づいて検索するためのトリガーキー設定の設定時において、オペレータが、後述するように、所定のトリガーキーの設定を行う際に検索条件設定部２ｄと共に用いられ、そのときのトリガーキーの設定及び検索条件を後述する表示処理制御部４の該当箇所検出部４Ａに出力する。【０１８３】  トレース情報取得部３の記憶部３ａは、携帯電話等の被評価用の通信端末２１と通信端末試験用の計測器２２との間の通信試験によって得られる通信に係る情報（Ｃｏｎｆｉｇ情報等を含む）を取得した時刻情報（タイムスタンプ）と共にそれぞれログ情報をログファイルとして記憶することにより、取得したトレース情報を用いてオペレータによるリアルタイムでの通信端末２１の性能評価を行うことを可能とすると共に、取得済みのトレース情報を遡及してオペレータに見せることができる。【０１８４】  また、トレース情報取得部３の記憶部３ａは、予め取得されたトレース情報をログファイルとして記憶していることにより、オペレータに対してオフタイムでの通信端末２１の性能評価を行うことを可能としている。【０１８５】  トレース情報表示処理制御部４は、該当箇所検出部４Ａ、抽出部４Ｂ、識別部４Ｃ、３ｚｋ編集部４Ｄ、位置生成部４Ｅ、表示制御部４Ｆを備えている。【０１８６】  該当箇所検出部４Ａは、設定入力情報設定部２の選択部２ａからの選択位置情報に基づいて表示制御部４Ｆから入力される情報より該当部分を検出し、この検出情報を位置生成部４Ｅ及びトレース情報取得部３の記憶部３ａに出力する。【０１８７】  そして、トレース情報取得部３の記憶部３ａは、該当箇所検出部４Ａからの検出情報に応じたログ情報を読み取って抽出部４Ｂに出力する。【０１８８】  抽出部４Ｂは、設定入力情報設定部２のシステム切替部２ｂと位置切替部２ｃから通信システム切替情報や位置切替情報が入力されており、これらの切替情報や該当箇所検出部４Ａからの検出情報に基づいてトレース情報取得部３の記憶部３ａから読み取られたログ情報の中から表示器５での表示に必要な情報を抽出する。【０１８９】  識別部４Ｃは、抽出部４Ｂによって抽出された情報に基づいて、Ｃｏｎｆｉｇ及びメッセージのＣプレーンとＵプレーンとを識別している。【０１９０】  ここで、Ｃｏｎｆｉｇは、通信端末試験用の計測器２２が所定の通信システムで被評価用の通信端末２１と通信を行うための内部設定情報である。【０１９１】  また、Ｃプレーン（コントロールプレーン）は、被評価用の通信端末２１の使用周波数や通話タイミング等の通信端末２１との通話前の各種制御情報を示している。【０１９２】  さらに、Ｕプレーン（ユーザープレーン）は、ユーザー情報（通話データ等）を示している。【０１９３】  編集部４Ｄは、識別情報編集部４Ｄ１、シナリオメッセージ編集部４Ｄ２、コンフィグ情報編集部４Ｄ３を備えている。【０１９４】  識別情報編集部４Ｄ１は、識別部４Ｃからの識別情報に基づき、インジケーションバー１３の生成の他、ログシーケンス１２及びインジケーションバー１３の色分けや分割数等を編集し、これらの編集情報を表示制御部４Ｆに出力する。【０１９５】  シナリオメッセージ編集部４Ｄ２は、表示器５の表示画面（図３において、画面２と表記されている詳細情報表示用の画面、以下画面２と併記する）に表示すべきトレース情報取得部３の記憶部３ａからのトレース情報のシナリオメッセージ及び付随するパラメータの詳細についての表示のための編集をして表示制御部４Ｆに出力する。【０１９６】  このシナリオメッセージ編集部４Ｄ２の編集によって表示器５の表示画面（画面２）に表示されたシナリオメッセージ等にエラーがある場合には、通信端末試験用の計測器２２側でのシナリオメッセージ等の訂正が容易となる。【０１９７】  コンフィグ情報編集部４Ｄ３は、表示器５の表示画面（画面２）に表示すべきトレース情報取得部３の記憶部３ａからのトレース情報に基づいてコンフィグ情報として携帯電話等の被評価用の通信端末２１と通信端末試験用の計測器２２とが通信するために計測器２２の初期設定に使用されたコンフィグ情報の詳細内容を編集して表示制御部４Ｆに出力する。【０１９８】  位置生成部４Ｅは、該当箇所検出部４Ａからの検出情報に基づいてインジケーションバー１３の表示位置を示す位置情報を表示制御部４Ｆに出力する。【０１９９】  表示制御部４Ｆは、設定入力情報設定部２の選択部２ａからの選択位置情報に基づく該当箇所検出部４Ａからの検出情報、編集部４Ａからの各種編集情報、位置生成部４Ｅからの位置情報に基づいて、図３乃至図２１及び図２５に示すような所定の形態でトレース情報の表示及び設定表示を行うべく表示器５の表示内容を制御する。【０２００】  なお、表示制御部４Ｆには、図１に示したトレース情報表示処理制御部４内に備えられているとしたインジケーションバー表示部４ａ、ログシーケンス表示部４ｂ及���タスクバー表示部４ｃとがソフトウェア的に実現される構成として備えられているものとする。【０２０１】  表示器５は、設定入力情報設定部２からの設定情報に基づき、表示制御部４Ｆの制御によって図３乃至図２１及び図２５に示すような各種の表示画面（画面１や画面２）の表示を行っている。【０２０２】  すなわち、ここに、トレース情報表示処理制御部４の表示制御部４Ｆ内には、図１に示したようなインジケーションバー表示部４ａ、ログシーケンス表示部４ｂ及びタスクバー表示部４ｃが、図２の表示処理制御部４の該当箇所検出部４Ａ、抽出部４Ｂ、識別部４Ｃ、編集部４Ｄ、位置生成部４Ｅ、表示制御部４Ｆ等を含む機能的な構成によってソフトウェア的に実現されることになる。【０２０３】  なお、表示器５の表示画面のうち画面２は、画面１と同様に表示画面全体の表示領域とする他、図３に示すように、画面１上にポップアップ表示して表示画面の一部を表示領域とすることもできる。【０２０４】  図３に示すように、表示器５の表示画面（画面１）には、複数の操作キー１１が表示制御部４Ｆ内の操作キー表示部（図示せず）によって、表示画面（画面１）の上端部に横一列に整列配置して表示される。【０２０５】  また、表示器５の表示画面（画面１）には、トレース情報取得部３によって取得されたトレース情報に含まれる前記複数のログ情報がそれぞれの種類毎に区分けして識別可能にそれぞれのタイムスタンプに基づいて時系列に並べられたインジケーションバー１３がインジケーションバー表示部４ａによって表示される。【０２０６】  また、表示器５の表示画面（画面１）には、トレース情報取得部３によって取得されたトレース情報のログシーケンス１２がログシーケンス表示部４ｂによって表示される。【０２０７】  この際、ログシーケンス表示部４ｂによって表示されるログシーケンス１２と、インジケーションバー表示部４ａによって表示されるインジケーションバー１３とは、表示画面（画面１）上に互いに関連付けられて並列的に表示される。【０２０８】  このログシーケンス表示部４ｂによって表示されるログシーケンス１２と、インジケーションバー表示部４ａによって表示されるインジケーションバー１３とは、表示器５の表示画面（画面１）上において、トレース情報の１つのログ情報が取得される度に同時に更新表示される。【０２０９】  図３に示すように、ログシーケンス表示部４ｂによって表示画面（画面１）に表示されるログシーケンス１２は、取得した通信システムの種別（トレースした通信システムのプロトコル種類）が通信システム表示バー表示部４ｂ２によって表示される通信システム表示バー１２ｃと、通信システムの通信の内容として通信を行うための設定情報であるＣｏｎｆｉｇ情報と、通信システムのプロトコルを構成するプレーンの種別と、通信の方向とがトレース情報表示バー表示部４ｂ３によって前記通信システム表示バー１２ｃと対応して表示されるトレース情報表示バー１２ｄと、インデックス情報表示部４ｂ４によって前記通信システム表示バー１２ｃ及びトレース情報表示バー１２ｄと対応して表示されるインデックス情報としてのトレース取得番号１２ａと、各シーケンスを取得した時刻（トレース取得時刻）���タイムスタンプ表示部４ｂ１によって前記通信システム表示バー１２ｃ及びトレース情報表示バー１２ｄと対応して表示されるタイムスタンプ１２ｂとで構成される。【０２１０】  ログシーケンス１２の表示において、通信システム表示バー１２ｃとトレース情報表示バー１２ｄとは種類に応じて色分け表示される。【０２１１】  例えば、図３の例では、通信システム表示バー１２ｃとトレース情報表示バー１２ｄにおいて、トレース取得番号１と６がＣｏｎｆｉｇ情報として白、トレース取得番号２，３，７，８がＣプレーンの情報として赤、トレース取得番号４，５，９がＵプレーンの情報として青で互いに色分け表示される。【０２１２】  また、ログシーケンス表示部４ｂは、ログシーケンス１２の表示において、トレース情報表示バー１２ｄの任意の位置がオペレータによって選択されると、その選択されたシーケンスの詳細情報を、例えば、図３に示すような形式で表示画面（画面２）に拡大してポップアップ表示する。【０２１３】  なお、このシーケンスの詳細情報を表示する際には、ログシーケンス１２の任意のレコードを、オペレータが、例えば、マウス等のクリックによって選択すれば良く、上述したトレース情報表示バー１２ｄ以外にもトレース取得番号１２ａ、タイムスタンプ１２ｂ、通信システム表示バー１２ｃの任意の位置をオペレータがクリックによって選択しても当該シーケンスの詳細情報を表示させることができる。【０２１４】  図３に示すように、インジケーションバー１３は、ログシーケンス１２の表示と並行して（図３では、ログシーケンス１２の表示の右側）、第１のインジケーションバー表示部４ａ１によって表示される第１のインジケーションバー（ＩＢ−１）１３ｂと、第２のインジケーションバー表示部４ａ２によって表示される第２のインジケーションバー（ＩＢ−２）１３ａとを備えている。【０２１５】  第１のインジケーションバー１３ｂは、トレース情報取得部３によって取得したトレース情報のログファイルに含まれる複数のログ情報を時系列に識別可能となるように、第１のインジケーションバー表示部４ａ１によって表示されている。【０２１６】  図３の例において、第１のインジケーションバー１３ｂは、第１のインジケーションバー表示部４ａ１によってトレース取得番号１乃至２４のログ情報がログシーケンス１２の一部にほぼ対応して色分け表示と表示されている。【０２１７】  その際、第１のインジケーションバー１３ｂの近傍（図示では右側）には、タスクバー表示部４ｃによってタスクバー１４が表示される。【０２１８】  また、このタスクバー１４の位置に対応するログ情報のログシーケンス１２を先頭にしてトレース取得番号１乃至９のログシーケンス１２がログシーケンス表示部４ｂによって表示される。【０２１９】  なお、ログシーケンス表示部４ｂは、ログシーケンス１２の表示の際、無通信状態時のログ情報のレコードを表示しないように設定されている。【０２２０】  例えば、図３に示すように、第１のインジケーションバー１３ｂのトレース取得番号５と６の間（図３では灰色部分）は無通信状態を示しているのに対し、ログシーケンス１２としてトレース取得番号５と６の間のログ情報のレコードは表示されない。【０２２１】  なお、トレース取得番号は、無通信状態のログ情報に対しても付されるように設定されていても良い。【０２２２】  第２のインジケーションバー１３ａは、第１のインジケーションバー１３ｂが長すぎて表示画面（画面１）内に収まらないときに用いられるように、第２のインジケーションバー表示部４ａ２によって表示される。【０２２３】  図３の例では、第２のインジケーションバー１３ａには、トレース取得番号１乃至２１４のログ情報が表示されている。【０２２４】  この第２のインジケーションバー１３ａの任意の個所（バー表示の任意個所）が、前述したと同様にして、オペレータによって選択されると、その選択された部分に該当する範囲の第１のインジケーションバー１３ｂが第１のインジケーションバー表示部４ａ１によって第２のインジケーションバー１３ａと並行して表示される。【０２２５】  図３の例では、第２のインジケーションバー１３ａのログ情報１乃至２４のいずれかの部分が選択されると、第１のインジケーションバー表示部４ａ１によって第１のインジケーションバー１３ｂのトレース取得番号１乃至２４のログ情報が色分け表示される。【０２２６】  そして、ログシーケンス表示部４ｂによって、タスクバー１４が位置するトレース取得番号１を先頭とし、第１のインジケーションバー１３ｂの各ログ情報の色と対応してトレース取得番号１乃至９のログシーケンス１２が色分け表示される。【０２２７】  このように、第２のインジケーションバー１３ａは、第２のインジケーションバー表示部４ａ２によって、トレース情報取得部３の記憶部３ａに記憶された通信試験１回分に相当するログファイルに含まれる全てのログ情報を含んだ状態として表示される。【０２２８】  そして、第１のインジケーションバー１３ｂは、第１のインジケーションバー表示部４ａ１によって、第２のインジケーションバー１３ａから選択された任意のログ情報を含む所定範囲（例えば、第１のインジケーションバー１３ｂの表示可能範囲）のログ情報が拡大して表示される。【０２２９】  また、第２のインジケーションバー１３ａは、第２のインジケーションバー表示部４ａ２により、所定範囲を区切って表示するように設定されていても良い。【０２３０】  次に、上記構成による通信端末の性能測定システム１の基本的な操作の流れが、図２２に示されるフローチャートを参照しながら説明される。【０２３１】  図４に示すように、表示器５の表示画面（画面１）は、トレース情報のログ取得前では、前述した操作キー表示部及び初期画面設定部（図示せず）によって表示される操作キー１１以外には何も表示されていない状態にある。【０２３２】  この初期画面の状態において、オペレータによって、表示器５の表示画面（画面１）中の操作キー１１のＳｔａｒｔキー１１ａが、例えば、マウスやキーボードなどでクリックされると（ステップＳＴ１−Ｙｅｓ）、トレース情報のログ取得が開始される（ステップＳＴ２）。【０２３３】  すなわち、この場合、操作キー１１のＳｔａｒｔキー１１ａの操作情報が表示処理制御部４の表示制御部４Ｆ、該当箇所検出部４Ａ及びトレース情報取得部３を介して図１に示した設定入力情報設定部２からトレース情報のログ取得���スタート指令が出されることにより、トレース情報取得部３を介して通信端末試験用の計測器２２と被評価用の通信端末２１との間の通信試験が開始される。【０２３４】  そして、この通信試験によるログ取得がトレース情報取得部３によって開始されると、表示器５の表示画面（画面１）は、図５に示すように、１つのログを取得するたびに、ログシーケンス表示部４ｂによってログシーケンス１２の表示が更新されると同時に、第１のインジケーションバー表示部（４ａ１）によって第１のインジケーションバー（ＩＢ−１）１３ｂの表示も更新される（ステップＳＴ３）。【０２３５】  そして、オペレータによって、操作キー１１のＳｔｏｐキー１１ｂがクリックされると（ステップＳＴ４−Ｙｅｓ）、トレース情報取得部３によるトレース情報のログ取得が停止される（ステップＳＴ５）。【０２３６】  図６は、トレース情報のログ取得を停止した直後の表示器５の表示画面（画面１）を例示している。【０２３７】  図６の例では、トレース情報のログ取得すなわちトレース取得番号１乃至４８までのログを取得して停止した状態の表示器５の表示画面（画面１）を示している。【０２３８】  図６の表示画面の状態では、第１のインジケーションバー表示部４ａ１によって、第１のインジケーションバー１３ｂが、トレース取得番号１乃至４８までのトレース情報の流れを示すバーにより色分け表示される。【０２３９】  また、図６の表示画面の状態では、タスクバー１４が、タスクバー表示部４ｃによって、現在、ログシーケンス表示部４ｂにより表示された最新のログシーケンス１２の先頭のログ情報（トレース取得番号４０）に対応する位置にして第１のインジケーションバー１３ｂの右側に表示される。【０２４０】  そして、最後に取得したログを最後尾としてトレース取得番号４０乃至４８までのログシーケンス１２が、ログシーケンス表示部４ｂによって、第１のインジケーションバー１３ｂの各ログ情報の色と対応して色分け表示される。【０２４１】  その後、第１のインジケーションバー１３ｂ上の任意の位置がオペレータによって選択されたか否か（例えば、前述したように、選択部２ａとしての表示画面内のポインタがマウスやキーボードで第１のインジケーションバー１３ｂ上の任意の位置に移動されたか否か）かが表示制御部４Ｆによって判別される（ステップＳＴ６）。【０２４２】  そして、オペレータによって、第１のインジケーションバー１３ｂ上の任意の位置が選択されたと判別されると（ステップＳＴ６−Ｙｅｓ）、第１のインジケーションバー表示部４ａ１によって、この第１のインジケーションバー１３ｂ上で選択された任意の位置のトレース情報（ログ）を先頭に表示するようにして表示画面（画面１）が更新される（ステップＳＴ７）。【０２４３】  例えば、オペレータによって、図６の状態から図７に示すように、第１のインジケーションバー１３ｂ上のトレース取得番号１０のログが位置する部分が選択されたとすると、トレース取得番号１０のログを先頭にしてトレース取得番号１０乃至１８までのログシーケンス１２が、ログシーケンス表示部４ｂによって表示されるように、表示画面（画面１）が更新される。【０２４４】  このとき、タスクバー１４もトレース取得番号４０の位置からトレース取得番号１０の位置に移動される。【０２４５】  その後、オペレータによって、表示画面（画面１）上のログシーケンス１２の任意の位置（トレース取得番号１２ａ、タイムスタンプ１２ｂ、通信システム表示バー１２ｃ、トレース情報表示バー１２ｄのいずれかの位置）が選択されたか否か（例えば、マウスなどでログシーケンス１２の任意の位置がクリックされたか否か）かが表示制御部４Ｆによって判別される（ステップＳＴ８）。【０２４６】  ここで、オペレータによって、ログシーケンス１２の任意の位置が選択されたと判別されると（ステップＳＴ８−Ｙｅｓ）、その選択されたログシーケンス１２の詳細情報がログシーケンス表示部４ｂによって、図３に示すような表示画面（画面２）にポップアップ表示される（ステップＳＴ９）。【０２４７】次に、タスクバー１４で目的のログを見つけ出すときの操作の流れが、図２３を参照しながら説明される。【０２４８】  なお、この図２３の場合の流れにおいても、操作キー１１のＳｔａｒｔキー１１ａがクリックされてからログ取得が停止するまでの動作は、図２２の場合と同一である。【０２４９】  ステップＳＴ５でトレース情報のログ取得を停止した後、目的のログを見つけ出すために、オペレータによりタスクバー１４上の任意の位置間が、例えば、マウス等でドラッグされる（ステップＳＴ１１）。【０２５０】  このタスクバー１４に対するドラッグに伴って表示画面（画面１）が更新される（ＳＴ１２）。【０２５１】  すなわち、ログシーケンス表示部４ｂによって、タスクバー１４の位置のログシーケンス１２を先頭として表示するように、画面（画面１）が更新される。【０２５２】  例えば、図６の状態から図８に示すように、オペレータがトレース取得番号４０に位置しているタスクバー１４をトレース取得番号１０の位置まで移動させたとすると、ログシーケンス表示部４ｂによって、このトレース取得番号１０を先頭にしてトレース取得番号１０乃至１８までのログシーケンス１２が表示されるように、表示画面（画面１）が更新される。【０２５３】  そして、表示画面（画面１）上にオペレータの求めるログがある状態で（ステップＳＴ１３−Ｙｅｓ）、表示画面（画面１）上の目的のログがオペレータによって選択されたとすると（ステップＳＴ１４）、ログシーケンス表示部４ｂによって、その選択されたログの詳細情報が図３に示すような表示画面（画面２）にポップアップ表示される（ステップＳＴ１５）。【０２５４】  次に、既に取得したトレース情報のデータをトレース情報取得部３の記憶部３ａからロードしてから目的のログを見つけるときの操作の流れが、図２４に示されるフローチャートを参照しながら説明される。【０２５５】  予め、トレース情報取得部３の記憶部３ａに既に取得されたトレース情報がログファイルとして記憶されている場合に、オペレータによって操作キー１１のＬｏａｄキー１１ｆが、例えば、マウスやキーボードなどでクリックされたとすると（ステップＳＴ２１−Ｙｅｓ）、表示制御部４Ｆ及び該当箇所検出部４Ａを介してトレース情報取得部３の記憶部３ａにトレース情報の読み取り指令が出される。【０２５６】  ここで、トレース��報取得部３の記憶部３ａに複数のログファイルが存在する場合には、オペレータの要求に応じてそれらのファイル名を表示画面（画面１）に表示するようにしておき、オペレータが所望のファイル名を指定することによって、所望のログファイルのトレース情報の読み取りを指令することができるようにしても良い。【０２５７】  これにより、トレース情報取得部３の記憶部３ａから読み取られたトレース情報に応じて、例えば、図３や図６に示すような表示画面（画面１）の表示がなされる（ステップＳＴ２２）。【０２５８】  そして、第１のインジケーションバー（ＩＢ−１）１３ｂの任意の位置が前述したと同様にしてオペレータによって選択されたか否かが表示制御部４Ｆによって判別される（ステップＳＴ２３）。【０２５９】  ここで、オペレータによって、第１のインジケーションバー（ＩＢ−１）１３ｂの任意の位置が選択されると判別されると、ログシーケンス表示部４ｂによって、その選択された任意の位置のトレース情報（ログ）を先頭にしてログシーケンス１２が表示されるように、表示画面（画面１）が更新される（ステップＳＴ２４−Ｙｅｓ）。【０２６０】  例えば、オペレータによって、図６の状態から図７に示すように、第１のインジケーションバー１３ｂのトレース取得番号１０に位置する部分が選択されたとすると、ログシーケンス表示部４ｂによって、トレース取得番号１０を先頭にしてトレース取得番号１０乃至１８までのログシーケンス１２が表示されるように、表示画面（画面１）が更新されることになる。【０２６１】  このとき、タスクバー表示部４ｃによって、タスクバー１４もトレース取得番号４０の位置からトレース取得番号１０の位置に移動するように表示される。【０２６２】  その後、オペレータによって、表示画面（画面１）上の目的のログが選択されたとすると（ステップＳＴ２５−Ｙｅｓ）、ログシーケンス表示部４ｂによって、その選択されたログの詳細情報が図３に示すような表示画面（画面２）にポップアップ表示される（ステップＳＴ２６）。【０２６３】  次に、オペレータが操作キー１１のＯｐｔｉｏｎキー１１ｃを、例えば、マウスやキーボードなどでクリックして、さらに、オプション操作画面中の「インジケーションバー設定（ＩＢ設定）」の項目をクリックしたときの設定内容が、図９を参照しながら説明される。【０２６４】  図９に示すインジケーションバー設定（ＩＢ設定）の画面では、インジケーションバー１３に関する各種の設定をオペレータが行うことができるようになされている。【０２６５】  具体的に説明すると、インジケーションバー１３の分割表示に関する設定として、オペレータは、複数の通信システム毎に第１のインジケーションバー１３ｂを分割するか否かを、表示画面上の「Ｙｅｓ」または「Ｎｏ」をクリックすることによって選択することができる。【０２６６】  そして、オペレータが、複数の通信システムで第１のインジケーションバー１３ｂを分割する（「Ｙｅｓ」）と選択した場合には、図１０に示すように、２つのインジケーションバー表示部４ａ４によって、Ｗ−ＣＤＭＡ（Ｗ）とＧＳＭ（Ｇ）の通信システム毎に２本のインジケーションバー１３ｂＡ，１３ｂＢが同時に並列表示されるようになされている。【０２６７】  なお、図１０において、（灰１）と（灰２）は濃度の異なる灰色表示を示しており、濃度の薄い（灰１）は、他の通信システムでは通信しているが、自己の通信システムでは通信が無い状態を示している。【０２６８】  また、図１０において、濃度の濃い（灰２）は、１ピクセル１０ｓ間の無通信状態があることを示している。【０２６９】  次に、インジケーションバー１３の分割表示に関する設定としては、通信方向の上り（被評価用の通信端末２１から通信端末試験用の計測器２２への通信）と、下り（通信端末試験用の計測器２２から被評価用の通信端末２１への通信）とで第１のインジケーションバー１３ｂを分割するか否かを、表示画面上の「Ｙｅｓ」または「Ｎｏ」を、オペレータがクリックすることによって選択することができる。【０２７０】  そして、オペレータが、通信方向の上りと下りで第１のインジケーションバー１３ｂを分割する（「Ｙｅｓ」）と選択し場合には、図１１に示すように、２つのインジケーションバー表示部４ａ４によって、通信方向の上り（Ｕ）と下り（Ｄ）毎に２本のインジケーションバー１３ｂＣ，１３ｂＤが並列表示されるようになされている。【０２７１】  また、オペレータが、複数の通信システムで第１のインジケーションバー１３ｂを分割すると共に、通信方向の上りと下りでも第１のインジケーションバー１３ｂを分割すると選択した場合には、図１２に示すように、Ｗ−ＣＤＭＡとＧＳＭのシステム毎で且つ上りと下り毎（ＷＵ，ＷＤ，ＧＵ，ＧＤ）の４本のインジケーションバー１３ｂＡ，１３ｂＢ，１３ｂＣ，１３ｂＤが複数のインジケーションバー表示部４ａ３によって同時に並列表示されるようになされている。【０２７２】  次に、Ｕプレーン何個でインジケーションバー１３の１ラインとするかを設定することが説明される。【０２７３】  図９の例では、１ライン（ログ情報の１表示単位）／１ピクセル（画面の１ドット表示単位）から１０ライン／１ピクセルの範囲内で、オペレータが任意に設定することができるようになっている。【０２７４】  次に、無通信のログ情報何個でインジケーションバーの１ラインとするかを設定することが説明される。【０２７５】  図９の例では、１ライン／１ピクセルから１０ライン／１ピクセルの範囲内で、オペレータが任意に設定することができるようになっており、オペレータは無通信状態を表示しない場合には「０」を設定することになる。【０２７６】  例えば、図１３は、オペレータによって、Ｕプレーン及び無通信１０ラインで１ピクセルとなるように、第１のインジケーションバー１３ｂが設定された場合の表示画面例を示している。【０２７７】  図１３の表示の場合、オペレータが、タスクバー１４を１ピクセル分ドラッグする度に、表示画面（画面１）上のログ情報が１０個分更新され、高速に画面更新が起きる。【０２７８】  また、ＣプレーンとＣｏｎｆｉｇの部分については、１ピクセル分のタスクバー１４の移動に対して表示画面（画面１）に表示されるログ情報が１個分更新されるようになされている。【０２７９】  これにより、通信システムのプロトコル種別が同一であるログ情報が連続する場合、一つのログ情報に対する表示長さを圧縮���て表示することができる。【０２８０】  これは、インジケーションバー表示部４ａが、トレース情報取得部３によって取得されたトレース情報に含まれる前記複数のログ情報において、同一の通信システムによるログ情報が連続する場合に、当該連続する同一の通信システムによるログ情報を一つのログ情報に対応する表示長さを圧縮して表示することによって達成される。【０２８１】  なお、インジケーションバー設定の画面では、何秒（何ｓ）で無通信とみなすかを、オペレータが任意に設定することができるようになされている。【０２８２】  図９の例では、オペレータが、１０ｓ／１ラインから１ｓ／１ラインの範囲内で設定できるようになっている。【０２８３】  これにより、無通信状態がある場合、第１のインジケーションバー表示部４ａ１によって、第１のインジケーションバー１３ｂには、無通信状態のログ情報が表示されるようになされている。【０２８４】  例えば、図３の例では、第１のインジケーションバー１３ｂにおけるトレース取得番号５と６との間に無通信状態があるので、第１のインジケーションバー表示部４ａ１によって、この無通信時間間隔と上記設定情報に基づいて挿入幅が算出され、無通信状態のログ情報がトレース取得番号５と６との間に所定の色（例えば、灰色）で挿入表示される。【０２８５】  また、インジケーションバー設定の画面では、第１のインジケーションバー１３ｂを何に連動させるかを、オペレータが、設定することができるようになされている。【０２８６】  図９の例では、オペレータは、ログシーケンスの各々のシーケンスが取得された順番を示す目盛り情報（インデックス情報）１２ａとして、トレース取得番号またはログ取得時刻（タイムスタンプ）を第１のインジケーションバー１３ｂに連動させるように選択することができる。【０２８７】  これにより、目盛り情報、すなわち、インデックス情報１２ａが第１のインジケーションバー１３ｂのログ情報に対応づけて各々のインデックス情報１２ａの表示が重ならないように所望の間隔を置いて表示される。【０２８８】  オペレータが、第１のインジケーションバー１３ｂをトレース取得番号に連動させると設定した場合には、図３に示すように、ログシーケンス（ログ情報）を１つ取得するたびにトレース取得番号に連動してログシーケンス１２と第１のインジケーションバー１３ｂが更新表示されるようになされている。【０２８９】  その際、第１のインジケーションバー１３ｂの近傍（図示では左側）には、表示されるログシーケンス１２に対応してトレース取得番号が表示されるようになされている。【０２９０】  これに対し、オペレータが、第１のインジケーションバー１３ｂをログ取得時刻（タイムスタンプ）に連動させると設定した場合には、図１４に示すように、ログシーケンス（ログ情報）を１つ取得するたびに、ログ取得時刻（タイムスタンプ）に連動してログシーケンス１２と第１のインジケーションバー１３ｂとが更新表示されるようになされている。【０２９１】  その際、第１のインジケーションバー１３ｂの近傍（図示では左側）には、表示されるログシーケンス１２に対応してログ取得時刻（タイムスタンプ）１２ｂが表示されるようになされている。【０���９２】  ところで、本実施の形態では、オペレータが、操作キー１１のＯｐｔｉｏｎキー１１ｃをクリックすると、オプション操作画面表示部（図示せず）によってオプション操作画面が表示されることにより、各種のオプション項目の設定を行うことができるようになされている。【０２９３】  図１５は、オペレータが操作キー１１のＯｐｔｉｏｎキー１１ｃをクリックして、さらにオプション操作画面中の「トレースする通信システム設定」の項目をクリックした場合の表示画面の例を示している。【０２９４】  図１５に示す「トレースする通信システム設定」の例では、オペレータが、Ｗ−ＣＤＭＡ（基地局１）及びＧＳＭ（基地局２）の少なくとも一方を選択することができるようになっている。【０２９５】  例えば、オペレータがＷ−ＣＤＭＡ（基地局１）のみを選択した場合は、図１６に示すように、Ｗ−ＣＤＭＡ（基地局１）に関するログシーケンス１２のみが抽出され、このログシーケンス１２と第１のインジケーションバー１３ｂとが関連付けられて表示画面（画面１）に表示されるようになされている。【０２９６】  これに対し、オペレータがＧＳＭ（基地局２）のみを選択した場合には、ＧＳＭ（基地局２）に関するログシーケンス１２のみが抽出され、このログシーケンス１２と第１のインジケーションバー１３ｂとが関連付けられて表示画面（画面１）に表示されるようになされている（図示せず）。【０２９７】  なお、図１５に示すトレースする通信システム設定例では、オペレータが、Ｗ−ＣＤＭＡ（基地局１）及びＧＳＭ（基地局２）の両方を同時に選択することもできるようになっている。【０２９８】  この場合、Ｗ−ＣＤＭＡ（基地局１）及びＧＳＭ（基地局２）の両方のログシーケンス１２が抽出され、このログシーケンス１２とインジケーションバー１３とが関連付けられて図３に示される表示画面（画面１）のように表示されるようになされている。【０２９９】  また、オペレータが、操作キー１１のＯｐｔｉｏｎキー１１ｃをクリックすることにより、「色の配置換え」の設定を行うことができるようになされている。【０３００】  図１７は、オペレータが、操作キー１１のＯｐｔｉｏｎキー１１ｃをクリックして、さらにオプション操作画面中の「色の配置換え」をクリックした場合の表示画面の例を示している。【０３０１】  この「色の配置換え」の設定では、図１７に示すように、Ｗ−ＣＤＭＡ（基地局１）とＧＳＭ（基地局２）の通信システム毎にＣｏｎｆｉｇ、Ｃプレーン、Ｕプレーンの色を任意の色（図示の例では，赤、青、白）に、オペレータが設定することができるようになっている。【０３０２】  例えば、オペレータが、Ｗ−ＣＤＭＡ  Ｃｏｎｆｉｇ：赤、Ｗ−ＣＤＭＡ  Ｃプレーン：青、Ｗ−ＣＤＭＡ  Ｕプレーン：白、ＧＳＭ  Ｃプレーン：緑、ＧＳＭ  Ｕプレーン：ピンクに設定した場合には、図１８に示すように「色の配置換え」がなされたログシーケンス１２が表示画面（画面１）に更新表示されるようになされている。【０３０３】  さらに、オペレータが、操作キー１１のＯｐｔｉｏｎキー１１ｃをクリックすることにより、タスクバー１４の設定を行うことができるようになされている。【０３０４】  このタスクバー１４の設定では、���１９に示すように、オペレータが、タスクバー１４として矢印を使用したタスクバーを表示させるか、あるいは、タスクバー１４としてある範囲を示す画面バーを使用したタスクバー表示させるかを選択することができるようになっている。【０３０５】  例えば、オペレータが、タスクバー１４の設定として、矢印使用を選択したとすると、図３に示すように、タスクバー表示部４ｃによって、矢印のタスクバー１４が第１のインジケーションバー１３ａの近傍（図示では右側）に表示されるようになされている。【０３０６】  そして、ログシーケンス表示部４ｂによって、このタスクバー１４の矢印が示すログシーケンスを先頭にして複数のログシーケンス１２が表示されるようになされている。【０３０７】  これに対し、オペレータが、タスクバー１４の設定として、画面バー使用を選択したとすると、図２０に示すように、タスクバー表示部４ｃによって、画面バーのタスクバー１４が第１のインジケーションバー１３ｂの近傍（図示では右側）に表示されるようになされている。【０３０８】  この場合、タスクバー１４のバーの長さが現在表示されているログシーケンス１２の範囲を示していることになる。【０３０９】  図２０の例では、表示されるタスクバー１４の長さがトレース取得番号１乃至９に及んでいるので、トレース取得番号１乃至９のログシーケンス１２が表示画面（画面１）に表示されている。【０３１０】  また、本実施の形態では、オペレータによって、操作キー１１のＦｉｎｄキー１１ｄがクリックされたときに、既に取得済のトレース情報から任意の一つまたは複数のトレース情報を自動的に検索し、検索して見つけ出されたログ情報の位置する箇所が識別可能になっている。【０３１１】  さらに説明すると、予め、後述するようにして設定入力情報設定部２の検索条件設定部２ｄにより検索条件が設定されている状態で、オペレータによって、Ｆｉｎｄキー１１ｄがクリックされると、前述したと同様にして出される検索指令に基づいて、取得済のトレース情報から検索条件と一致する該当箇所を該当箇所検出部４Ａが第２のインジケーションバー１３ａから検索する状態に設定されるようになされている。【０３１２】  そして、検索条件設定部２ｄにより設定された検索条件と一致する該当箇所が該当箇所検出部４Ａによって見つけ出されると、表示画面（画面１）には第２のインジケーションバー１３ａの該当部分を含む所定範囲が点滅表示されるようになされている。【０３１３】  この第２のインジケーションバー１３ａの点滅表示部分をオペレータが選択すると、目的とする第１のインジケーションバー１３ｂが表示され、第１のインジケーションバー１３ｂの検索条件と一致する該当箇所が点滅表示されるようになされている。【０３１４】  そして、この点滅表示部分にタスクバー１４が自動的に移動し、表示画面（画面１）は検索に該当する最初のログシーケンス１２を先頭とする表示画面（画面１）に自動的に切り替わるようになされている。【０３１５】  図２１の例では、検索条件と一致する該当箇所が第２のインジケーションバー１３ａのトレース取得番号２４乃至９６であり、第１のインジケーションバー１３ｂがトレース取得番号２４乃至９６のログ情報をバー表示するようになされている。【０３１６】  そして、第１のインジケーションバー１３ｂの検索条件と一致する該当箇所（図中の斜線部分３個所）が点滅表示され、そのうちの最初の点滅表示部分のログ情報の位置にタスクバー１４が移動されると共に、その最初の点滅表示部分のログシーケンス１２を先頭として、トレース取得番号３３乃至４１のログシーケンス１２が表示されるようになされている。【０３１７】  なお、検索条件と一致する該当箇所が複数あったとき、最初の該当箇所のログシーケンス１２が先頭にして表示されるのに代えて、該当箇所のログシーケンスの表示位置の条件（例えば、先頭、中央、末尾等）を予め検索条件として設定しておくことにより、予め検索条件として設定された箇所のログシーケンスが先頭にして表示されるようにすることも可能である。【０３１８】  ここで、検索条件の設定について説明すると、まず、オペレータは、図２の設定入力情報設定部２の検索条件の設定部２ｄの操作のために、操作キー１１のＯｐｔｉｏｎキー１１ｃをクリックして、さらに、図９、図１５、図１７、図１９等に示されるオプション操作の表示画面（画面１）の中から「検索条件」の設定の項目をクリックすることが必要となる。【０３１９】  これにより、表示画面（画面１）には、前述したと同様にして出される検索指令に基づいて、図２５に示される検索画面が表示されるので、オペレータは、当該画面中の「通信システム選択」、「メッセージ種別選択」、「検索条件入力」、「ＡＮＤ  ｏｒ  ＯＲ選択」等の各項目を添付表示されるガイド表示に基づいて、それぞれを適宜に設定してやれば良い。【０３２０】  「ＡＮＤ  ｏｒ  ＯＲ選択」は、「システム選択」、「メッセージ種別選択」、「検索条件入力」で設定される各条件のアンドをとって検索するのか、あるいは、それらのオアをとって検索するのかをオペレータに選択させるための項目である。【０３２１】  図２５の場合、「検索条件入力」の項目は、添付表示されるガイド表示として、「シナリオメッセージの名前で検索する」や「プリミティブの名前で検索する」やタイムスタンプの時間範囲で検索する」が例示されている。【０３２２】  なお、図２５の表示画面において、オペレータが「ＯＫ」をクリックすると、上記の各項目の設定が確定して取り込まれると共に、「Ｃａｎｃｅｌ」をクリックすると、元の表示画面に戻されるようになされている。【０３２３】  さらに、本実施の形態では、オペレータが、設定入力情報設定部２のトリガーキー設定部２ｅからトリガーキーで予め目的とするトレース情報の条件（例えば、キーワードやシナリオメッセージの種類等）を内部的に設定しておき、該当ログにヒットしたときに表示が自動的に切り替わるようになっている。【０３２４】  さらに説明すると、オペレータは、まず、予めトリガーキーで目的とするトレースの条件を設定する操作として、図２の設定入力情報設定部２のトリガーキー設定部２ｅ及び検索条件の設定部２ｄの操作のために、操作キー１１のＯｐｔｉｏｎキー１１ｃをクリックして、さらに、図９、図１５、図１７、図１９等に示すオプション操作の表示画面（画面１）の中から「トリガーキー設定」の項目をクリックしてから、さらに、「���索条件」の設定の項目をクリックすることが必要となる。【０３２５】  これにより、表示画面（画面１）には、前述した既に取得済のトレース情報から任意の一つまたは複数のトレース情報を自動的に検索する場合と同様に、図２５に示される検索画面が表示されるので、オペレータは、当該画面中の「システム選択」、「メッセージ種別選択」、「検索条件入力」、「ＡＮＤ  ｏｒ  ＯＲ選択」の各項目を添付表示されるガイド表示に基づいてそれぞれ適宜に設定してやればよい。【０３２６】  この際、トリガーキー自体は表示画面（画面１）に表示されないが、そのトリガーキー、で設定された目的とするトレース情報の条件に該当するトレース情報を取得すると、該当ログにヒットしたとして、そのトレース情報が先頭にして表示画面（画面１）に表示されるようになされている。【０３２７】  そして、該当するトレース情報及び第１のインジケーションバー１３ｂの該当部分が点滅表示されるようになされている。【０３２８】  その後、トレース取得が進んでも、表示画面（画面１）は更新されず、次に該当するトレース情報にヒットするたびに、第１のインジケーションバー１３ｂの該当部分が点滅されるようになされている。【０３２９】  なお、トリガーキーによる検索の表示においても、前述したＦｉｎｄキー１１ｄによる検索の表示と同様に、該当箇所のログシーケンスの表示位置の条件（例えば、先頭、中央、末尾等）を予め設定しておいても良い。【０３３０】  以上のように、本実施の形態による通信端末の性能測定システム１では、トレース情報の取得が開始されると、ログ情報のログシーケンスが１つ取得されて表示されるたびに、第１のインジケーションバー１３ｂが更新され続けるようになされている。【０３３１】  その際、第１のインジケーションバー１３ｂと関連付けてログシーケンス１２が時系列的に表示されるようになされている。【０３３２】  その際、オペレータは、複数の通信システムの通信プロトコル種別（Ｗ−ＣＤＭＡ、ＧＳＭ）を第１のインジケーションバー１３ｂ上では通信プロトコル毎にバー分け且つ色分け表示によって識別することができると共に、ログシーケンス１２上では記号（Ｗ，Ｇ）によって識別することができるようになっている。【０３３３】  そして、トレース情報の取得終了後、オペレータが第１のインジケーションバー１３ｂの中から任意の箇所を選択すると、表示画面は、その選択された箇所に該当するログシーケンス１２を先頭とする表示画面（画面１）に更新されるようになされている。【０３３４】  また、第１のインジケーションバー１３ｂに添えつけられているタスクバー１４がオペレータによって移動されると、そのタスクバー１４の移動量に応じてログシーケンス１２の表示が更新されるようになされている。【０３３５】  これにより、オペレータは、ログシーケンス１２の表示の先頭位置を任意の位置に持っていくことが可能となる。【０３３６】  また、第１のインジケーションバー１３ｂが長すぎて表示画面（画面１）内に収まらない場合には、さらに全体を表示する第２のインジケーションバー１３ａが使用される。【０３３７】  この第２のインジケーションバー１３ａは、第１のインジケーションバー１３ｂに並列���て表示されるようになされている。【０３３８】  そして、オペレータが第２のインジケーションバー１３ａの中から任意の箇所を選択すると、その選択された第２のインジケーションバー１３ａの箇所に該当する範囲の第１のインジケーションバー１３ｂが表示されるようになされている。【０３３９】  また、オペレータが表示画面（画面１）内にある任意のログシーケンス１２を選択すると、その選択されたログシーケンス１２の詳細情報が詳細画面（画面２）で、例えば、ポップアップ表示されるようになされている。【０３４０】  従って、本実施の形態による通信端末の性能測定システムでは、第１のインジケーションバーとログシーケンスとが関連付けて表示され、オペレータによって、第１のインジケーションバーの任意の位置が選択されると、その選択された第１のインジケーションバーの位置に対応するログシーケンスが先頭にして表示される。【０３４１】  そして、オペレータによって、ログシーケンスの任意の位置が選択されると、その選択されたログシーケンスの詳細情報が表示される。【０３４２】  これにより、本実施の形態による通信端末の性能測定システムによれば、オペレータはインジケーションバー（第１のインジケーションバー１３ｂ、第２のインジケーションバー１３ａ）により取得したトレース情報のログシーケンスの全体を見渡すことができ、膨大な長さのトレース情報の中から目的のトレース情報を簡単に得ることができると共に、その際、オペレータは必要最小限の動作で直ちに目的のトレース情報を見つけ出すことができる。【０３４３】  さらに、本実施の形態による通信端末の性能測定システムでは、ログシーケンス１２の通信システム表示バー１２ｃ及びトレース情報表示バー１２ｄと、第１のインジケーションバー１３ｂのログ情報とが対応させて色分け表示される際のの色分けも任意に設定することができるので、オペレータはトレース情報の種類に応じて、より識別しやすくするために色分けをすることができる。【０３４４】  また、ログシーケンス１２の各々のシーケンスの取得順番を示すインデックス情報としての目盛り情報（トレース取得番号やトレース取得時刻（タイムスタンプ））が第１のインジケーションバー１３ｂの各々のログ情報に対応づけて表示されるので、オペレータは、第１のインジケーションバー１３ｂのどの部分のログシーケンス１２が表示されているかを一目で確認することができる。【０３４５】  また、インジケーションバー１３は、第１のインジケーションバー１３ｂと第２のインジケーションバー１３ａとで構成され、且つ、第２のインジケーションバー１３ａがログファイルに含まれる全てのログ情報を表示し、さらに、第２のインジケーションバー１３ａから選択された任意のログ情報を含む所定範囲のログ情報が第１のインジケーションバー１３ｂで拡大して表示される。【０３４６】  これにより、オペレータは、第２のインジケーションバー１３ａの範囲から第１のインジケーションバー１３ｂで表示範囲を絞り込むことにより、膨大なトレース情報から目的のトレース情報を見つけ出すための時間を短縮することができる。【０３４７】  また、第１のインジケーションバー１３ｂは、複数の通信システムの通��プロトコル種別に対応して通信システム種別毎にバーを分けて表示することができると共に、さらに通信システムの種類毎に分けられた第１のインジケーションバー１３ｂが通信情報の上り、下りの２つのバーに分割して表示することができるので、オペレータは、通信システムの種類毎に通信情報の概略状況を把握することができる。【０３４８】  また、Ｆｉｎｄキー１１ｄを用いた検索により、オペレータは、既に取得されたトレース情報が記憶されている記憶部３ａのログファイルに含まれる複数のログ情報から該当するログ情報を簡単に見つけ出すことができる。【０３４９】  その際、該当箇所が点滅表示されるので、オペレータは、該当箇所も一目で判り、しかも、検索に該当する情報の最初のログシーケンスが先頭に表示されるので、誰でも簡単に該当するログ情報をいち早く見つけ出すことができる。【０３５０】  また、予め、オペレータが第１のインジケーションバー表示部４ａ１に対して内部的にトリガー情報を設定しておくことにより、トレース情報の取得時にトリガー情報にヒットしたログ情報に対応した第１のインジケーションバー１３ｂの該当箇所が点滅表示されるので、オペレータは、一目でトリガー情報にヒットしたログ情報の存在位置を知ることができる。【０３５１】  また、表示画面（画面１）に表示されるログシーケンス１２は、無通信状態の表示を含まないので、実際の通信のやり取りのみを表示でき、無駄な表示を省くことができる。【０３５２】  その際、オペレータはログシーケンス１２のタイムスタンプ１２ｂから無通信状態をある程度推測することも可能となる。【０３５３】  また、オペレータは、第１のインジケーションバー１３ｂの近傍に表示されるタスクバー１４として画面バーを使用することにより、表示画面（画面１）に表示しているログシーケンス１２の範囲を概略的に知ることができる。【０３５４】  また、オペレータは、タスクバー１４として矢印を使用することにより、先頭に表示されるログシーケンス１２を知ることができる。【０３５５】  また、第１のインジケーションバー１３ｂは、トレース情報の種類に応じて圧縮表示できるので、オペレータは、例えば、圧倒的に多いＵプレーンに埋もれたＣプレーンの情報を早く見つけ出すことができると共に、しかも、限られた表示領域内で、ある程度の量のトレース情報の取得に対応することができる。【０３５６】  また、オペレータは、第１のインジケーションバー１３ｂのみで対応できない場合には、第２のインジケーションバー１３ａを用いることにより取得した全てのログ情報を表示画面（画面１）に表示させることができる。【０３５７】  また、第１のインジケーションバー１３ｂには、無通信状態の表示も挿入することができるので、オペレータは、この第１のインジケーションバー１３ｂの表示が実時間に近い状態であることを認識することができる。【０３５８】  ところで、本実施の形態の第１のインジケーションバー１３ｂを図示されているように複数本縦に並べて表示させるのでなく、横に並べて多段構成にすることも考えられるが、この場合、タスクバー１４の移動のさせ方が問題になる。【０３５９】  そこで、本実施の形態では、インジケーションバー１３が第１の��ンジケーションバー１３ｂと第２のインジケーションバー１３ａの２本のみで構成され、且つ、第２のインジケーションバー１３ａによりログファイルに含まれる全てのログ情報が表示され、さらに、第２のインジケーションバー１３ａから選択された任意のログ情報を含む所定範囲のログ情報が第１のインジケーションバー１３ｂで拡大して表示されるようにしている。【０３６０】  そして、１つの第１のインジケーションバー１３ｂの右側に表示されるタスクバー１４が上下に移動可能な構成としている。【０３６１】  また、本実施の形態では、ログシーケンス１２とインジケーションバー１３の表示を１つの表示画面（画面１）で行う構成としているが、表示画面（画面１）を上下方向または左右方向にスクロールする構成とすることもできる。【０３６２】  従って、以上詳述したように、本発明によれば、複数の通信システムによる通信端末と評価用の計測器間の通信試験情報の流れを示すログシーケンス情報を含むトレース情報群を表示して通信端末の性能評価に供する通信端末の評価システムにおいて、効率的なトレース情報表示機能を実現するために組み込まれたトレース情報解析ソフトウェアで支援することにより、オペレータが、膨大な情報量を持ったトレース情報群の中から目的とするログシーケンス情報を容易に見つけ出すことができるようにした通信端末の性能測定システム及び通信端末の性能測定方法を提供することができる。
【図１】
0004343950.tif 000002
【図２】
0004343950.tif 000003
【図３】
0004343950.tif 000004
【図４】
0004343950.tif 000005
【図５】
0004343950.tif 000006
【図６】
0004343950.tif 000007
【図７】
0004343950.tif 000008
【図８】
0004343950.tif 000009
【図９】
0004343950.tif 000010
【図１０】
0004343950.tif 000011
【図１１】
0004343950.tif 000012
【図１２】
0004343950.tif 000013
【図１３】
0004343950.tif 000014
【図１４】
0004343950.tif 000015
【図１５】
0004343950.tif 000016
【図１６】
0004343950.tif 000017
【図１７】
0004343950.tif 000018
【図１８】
0004343950.tif 000019
【図１９】
0004343950.tif 000020
【図２０】
0004343950.tif 000021
【図２１】
0004343950.tif 000022
【図２２】
0004343950.tif 000023
【図２３】
0004343950.tif 000024
【図２４】
0004343950.tif 000025
【図２５】
0004343950.tif 000026
【図２６】
0004343950.tif 000027
【図２７】
0004343950.tif 000028